(57)【要約】【課題】扁平管の内部に複数の冷媒流路が形成される熱交換器において、冷媒が各冷媒流路を流れる際の圧力損失の増大を抑制でき、且つ扁平管の幅方向の曲げ加工を容易に行えるようにする。【解決手段】複数の上記扁平管（31,41）を有する複数の列部（30,40）が空気の通過方向に配列され、複数の列部（30,40）は、複数の列部（30,40）間の各扁平管（31,41）において冷媒が並列に流れるように構成され、複数の列部（30,40）の扁平管（31,41）は、空気の通過方向に隣り合う列部（30,40）の扁平管（31,41）が互いに沿うように扁平管（31,41）の幅方向に屈曲する１つ以上の屈曲部（33a,33b,33c）をそれぞれ有している。【選択図】図２
2020020574.tif 000002
【特許請求の範囲】
【請求項１】
互いに平行に配置され、それぞれに複数の冷媒流路（C）が形成される複数の扁平管（31,41）と、上記扁平管（31,41）に接合されるフィン（32,42）とを備え、上記冷媒流路（C）を流れる冷媒と空気とを熱交換させる熱交換器であって、
複数の上記扁平管（31,41）を有する複数の列部（30,40）が空気の通過方向に配列され、
上記複数の列部（30,40）は、該複数の列部（30,40）間の各扁平管（31,41）において冷媒が並列に流れるように構成され、
上記複数の列部（30,40）の扁平管（31,41）は、空気の通過方向に隣り合う該列部（30,40）の扁平管（31,41）が互いに沿うように該扁平管（31,41）の幅方向に屈曲する１つ以上の屈曲部（33a,33b,33c）をそれぞれ有している
ことを特徴とする熱交換器。
【請求項２】
請求項１において、
上記各列部（30,40）には、該列部（30,40）の扁平管（31,41）の配列方向に並んだ複数の扁平管（31,41）に対応する主熱交換領域（35,45）と、該主熱交換領域（35,45）よりも扁平管（31,41）の数が少ない扁平管（31,41）に対応する補助熱交換領域（37,47）とが形成され、
上記複数の列部（30,40）は、該複数の列部（30,40）間で空気の通過方向に隣り合う各主熱交換領域（35,45）及び各補助熱交換領域（37,47）においてそれぞれ冷媒が並列に流れるように構成される
ことを特徴とする熱交換器。
【請求項３】
請求項２において、
複数の列部（30,40）は、空気の通過方向に隣り合う列部（30,40）間の各主熱交換領域（35,45）及び各補助熱交換領域（37,47）の扁平管（31,41）の冷媒の流れる方向が互いに同じ向きとなるように構成され、
上記各列部（30,40）の上記各主熱交換領域（35,45）の各扁平管（31,41）の一端部に分岐するように連通するガス分岐管（29）と
上記各列部（30,40）の上記各補助熱交換領域（37,47）の各扁平管（31,41）のうち上記ガス分岐管（29）側の一端部に分岐するように連通する液分岐管（28）と、
上記各列部（30,40）の各主熱交換領域（35,45）の各扁平管（31,41）の他端部と、上記各列部（30,40）の各補助熱交換領域（37,47）の各扁平管（31,41）の他端部とを連通する連絡管（68,88）と
を備えている
ことを特徴とする熱交換器。
【請求項４】
請求項１又は２において、
複数の列部（30,40）は、蒸発器として機能する際、空気の通過方向に隣り合う列部（30,40）間の扁平管（31,41）の冷媒の流れる方向が互いに逆向きとなるように構成されている
ことを特徴とする熱交換器。
【請求項５】
請求項４において、
複数の列部（30,40）は、上記蒸発器として機能する際、空気の通過方向に隣り合う列部（30,40）間の扁平管（31,41）を流れる冷媒の過熱領域（S1,S2）が、空気の通過方向において互いに重ならないように構成される
ことを特徴とする熱交換器。
【請求項６】
請求項１乃至５の何れか１つに記載の熱交換器（23）が設けられて冷凍サイクルを行う冷媒回路（20）を備え、
上記熱交換器（23）が蒸発器として機能する運転と、上記熱交換器（23）が凝縮器として機能する運転とを切り換えて行うように構成されている
ことを特徴とする空気調和機。
【発明の詳細な説明】
【技術分野】
【０００１】
本発明は、熱交換器及び空気調和機に関する。
【背景技術】
【０００２】
従来より、平行に配列された多数の扁平管と、該扁平管に接合されるフィンとを備えた熱交換器が知られている。特許文献１（図２を参照）には、この種の熱交換器が開示されている。この熱交換器は、空気の通過方向に扁平管が１列に配置される１列構成の熱交換器である。熱交換器には、上側熱交換領域（主熱交換領域）と、下側熱交換領域（補助熱交換領域）とが形成されている。下側熱交換領域の扁平管の本数は、上側熱交換領域の扁平管の本数より少ない。
【０００３】
例えばこの熱交換器が蒸発器として機能する場合、飽和液状態の冷媒が、下側熱交換領域を流れ、空気から吸熱して蒸発する。この冷媒は、上側熱交換領域を流れて更に蒸発し、過熱状態となって熱交換器を流出する。
【先行技術文献】
【特許文献】
【０００４】
【特許文献１】特開２０１２−１６３３２８号公報
【発明の概要】
【発明が解決しようとする課題】
【０００５】
ところで、特許文献１に開示のような熱交換器の能力を向上させるためには、扁平管の長さを長くし、扁平管の内部の冷媒流路の流路長を長くすることが考えられる。しかしながら、このようにして冷媒流路の全長を長くすると、冷媒が通過する際の圧力損失の増大を招いてしまう。
【０００６】
更に、扁平管の内部に多数の冷媒流路を形成する熱交換器では、各冷媒流路の流路面積が比較的小さいため、各冷媒流路を流れる冷媒の流速が増大し易い。このため、各冷媒流路を流れる冷媒の圧力損失も更に大きくなってしまう。
【０００７】
一方、このような圧力損失の増大を抑制するために、扁平管を幅方向（空気の通過方向）に長くし、冷媒流路の数を増やす構成を採用することも考えられる。しかしながら、このようにして扁平管の幅が大きくなると、扁平管を、その幅方向に屈曲させる加工が難しくなり、空気が通過する複数の側面部を有する他面式（例えば４面式）の熱交換器を製造することが困難となってしまう。
【０００８】
本発明は、かかる点に鑑みてなされたものであり、その目的は、扁平管の内部に複数の冷媒流路が形成される熱交換器において、冷媒が各冷媒流路を流れる際の圧力損失の増大を抑制でき、且つ扁平管の幅方向の曲げ加工を容易に行えるようにすることである。
【課題を解決するための手段】
【０００９】
第１の発明は、互いに平行に配置され、それぞれに複数の冷媒流路（C）が形成される複数の扁平管（31,41）と、上記扁平管（31,41）に接合されるフィン（32,42）とを備え、上記冷媒流路（C）を流れる冷媒と空気とを熱交換させる熱交換器を対象とし、複数の上記扁平管（31,41）を有する複数の列部（30,40）が空気の通過方向に配列され、上記複数の列部（30,40）は、該複数の列部（30,40）間の各扁平管（31,41）において冷媒が並列に流れるように構成され、上記複数の列部（30,40）の扁平管（31,41）は、空気の通過方向に隣り合う該列部（30,40）の扁平管（31,41）が互いに沿うように該扁平管（31,41）の幅方向に屈曲する１つ以上の屈曲部（33a,33b,33c）をそれぞれ有していることを特徴とする。
【００１０】
第１の発明では、空気の通過方向に複数の列部（30,40）が設けられ、各列部（30,40）において複数の扁平管（31,41）が平行に配列される。熱交換器を冷媒が流れる際には、各列部（30,40）の各扁平管（31,41）を冷媒が並行に流れる。例えばこのような各列部（30,40）の扁平管（31,41）を直列に繋いで冷媒を流すと、各冷媒流路（C）を流れる冷媒の流量が大きくなり、各冷媒流路（C）を流れる冷媒の流速が大きくなる。また、各冷媒流路（C）の流路長も長くなる。これに対し、本発明では、各列部（30,40）の扁平管（31,41）を冷媒が並行に流れるため、各冷媒流路（C）を流れる冷媒の流量が小さくなり、各冷媒流路（C）を流れる冷媒の流速も小さくなる。また、各冷媒流路（C）の流路長も短くなる。冷媒流路（C）を流れる冷媒の圧力損失は、冷媒の流速の２乗、及び冷媒流路（C）の長さに比例する。従って、このような構成とすることで、圧力損失を低減できる。
【００１１】
また、熱交換器では、隣り合う列部（30,40）の扁平管（31,41）が互いに沿うように形成され、各扁平管（31,41）の１つ以上の屈曲部（33a,33b,33c）により折り曲げられる。このため、１列の扁平管（31,41）を幅方向に長くする構成と比較して、扁平管（31,41）の曲げ加工も容易となる。
【００１２】
第２の発明は、第１の発明において、上記各列部（30,40）には、該列部（30,40）の扁平管（31,41）の配列方向に並んだ複数の扁平管（31,41）に対応する主熱交換領域（35,45）と、該主熱交換領域（35,45）よりも扁平管（31,41）の数が少ない扁平管（31,41）に対応する補助熱交換領域（37,47）とが形成され、上記複数の列部（30,40）は、該複数の列部（30,40）間で空気の通過方向に隣り合う各主熱交換領域（35,45）及び各補助熱交換領域（37,47）においてそれぞれ冷媒が並列に流れるように構成されることを特徴とする。
【００１３】
第２の発明では、各列部（30,40）において主熱交換領域（35,45）と補助熱交換領域（37,47）とが形成される。冷媒は、各列部（30,40）の主熱交換領域（35,45）の各扁平管（31,41）、及び各列部（30,40）の補助熱交換領域（37,47）の各扁平管（31,41）をそれぞれ並行に流れる。これにより、各主熱交換領域（35,45）や各補助熱交換領域（37,47）を流れる冷媒の圧力損失を低減できる。
【００１４】
第３の発明は、第２の発明において、複数の列部（30,40）は、空気の通過方向に隣り合う列部（30,40）間の各主熱交換領域（35,45）及び各補助熱交換領域（37,47）の扁平管（31,41）の冷媒の流れる方向が互いに同じ向きとなるように構成され、上記各列部（30,40）の上記各主熱交換領域（35,45）の各扁平管（31,41）の一端部に分岐するように連通するガス分岐管（29）と上記各列部（30,40）の上記各補助熱交換領域（37,47）の各扁平管（31,41）のうち上記ガス分岐管（29）側の一端部に分岐するように連通する液分岐管（28）と、上記各列部（30,40）の各主熱交換領域（35,45）の各扁平管（31,41）の他端部と、上記各列部（30,40）の各補助熱交換領域（37,47）の各扁平管（31,41）の他端部とを連通する連絡管（68,88）とを備えていることを特徴とする。
【００１５】
第３の発明では、隣り合う列部（30,40）の各主熱交換領域（35,45）及び各補助熱交換領域（37,47）では、各扁平管（31,41）を流れる冷媒の方向が互いに同じとなる。そして、各列部（30,40）には、連絡管（68,88）と液分岐管（28）とガス分岐管（29）とが接続される。具体的に、各列部（30,40）では、扁平管（31,41）の一端部側にガス分岐管（29）と液分岐管（28）とが設けられ、扁平管（31,41）の他端部側に連絡管（68,88）が設けられる。これにより、熱交換器では、ガス分岐管（29）と液分岐管（28）の配置スペースが集約される。
【００１６】
第４の発明は、第１又は第２の発明において、複数の列部（30,40）は、蒸発器として機能する際、空気の通過方向に隣り合う列部（30,40）間の扁平管（31,41）の冷媒の流れる方向が互いに逆向きとなるように構成されていることを特徴とする。
【００１７】
第４の発明では、熱交換器が蒸発器として機能する際、空気の通過方向に隣り合う列部（30,40）の扁平管（31,41）を冷媒が並行に流れる。更に、隣り合う列部（30,40）の扁平管（31,41）では、冷媒の方向が逆向きとなる。仮に隣り合う列部（30,40）の扁平管（31,41）において、冷媒の流れる向きが同じである場合、隣り合う列部（30,40）の扁平管（31,41）では、冷媒の過熱領域が空気の通過方向に重なりやすい。一方、各列部（30,40）の扁平管（31,41）では、冷媒の過熱領域以外の部分の温度が低いため、空気中で結露した水分が扁平管（31,41）やフィン（32,42）の表面で着霜し易くなる。このような状態では、各列部（30,40）のうち過熱領域の近傍において、空気の通風抵抗が小さくなるため、この領域を空気が偏流しやすくなる。すると、熱交換器では、空気が全体を均一に流れなくなるため、熱交換効率の低下を招く。
【００１８】
これに対し、本発明では、隣り合う列部（30,40）の扁平管（31,41）を流れる冷媒の流れが逆向きとなるので、各列部（30,40）の扁平管（31,41）の過熱領域が互いに遠くなる。従って、空気の偏流を防止できる。
【００１９】
第５の発明は、第４の発明において、複数の列部（30,40）は、上記蒸発器として機能する際、空気の通過方向に隣り合う列部（30,40）間の扁平管（31,41）を流れる冷媒の過熱領域（S1,S2）が、空気の通過方向において互いに重ならないように構成されることを特徴とする。
【００２０】
第５の発明の各列部（30,40）では、隣り合う列部（30,40）の扁平管（31,41）の冷媒の方向が逆向きとなり、各列部（30,40）の扁平管（31,41）の過熱領域（S1,S2）が重ならないように構成される。各列部（30,40）の過熱領域（S1,S2）が空気の通過方向に重なると、この重複部分ばかりを空気が流れてしまう恐れがある。これに対し、本発明では、過熱領域（S1,S2）が重ならないため、空気の偏流を確実に防止できる。
【００２１】
第６の発明では、第１乃至第５のいずれか１つの発明の熱交換器（23）が、空気調和機（10）の冷媒回路（20）に設けられる。熱交換器（23）において、冷媒回路（20）を循環する冷媒は、空気から吸熱して蒸発し、又は空気へ放熱して凝縮する。
【発明の効果】
【００２２】
本発明では、各列部（30,40）の扁平管（31,41）において冷媒を並行に流すようにしたので、各扁平管（31,41）の冷媒流路（C）を流れる冷媒の圧力損失を大幅に低減できる。この結果、圧力損失の増大に起因する動力の増大を抑制しつつ、所望の熱交換効率を得ることができる。
【００２３】
また、扁平管（31,41）を幅方向に長くする必要がないので、各列部（30,40）の扁平管（31,41）の曲げ加工も容易となる。これにより、各列部（30,40）の扁平管（31,41）を折り曲げて、２〜４面式の熱交換器を製造でき、熱交換器のコンパクト化を図ることができる。また、各扁平管（31,41）の幅が短くなることで、各列部（30,40）の扁平管（31,41）の間の通風抵抗を低減でき、熱透過率の減少を抑制できる。更に、扁平管（31,41）の幅が狭くなることで、扁平管（31,41）の上側に結露水が滞ることを防止できる。この結果、扁平管（31,41）の表面での着霜を防止できる。
【００２４】
第２の発明では、主熱交換領域（35,45）と補助熱交換領域（37,47）の双方で冷媒の圧力損失を低減できる。
【００２５】
第３の発明では、各列部（30,40）に冷媒を並行に流すための液分岐管（28）やガス分岐管（29）を集約して配置できる。これにより、配管のスペースをコンパクト化、あるいは配管の据え付けの容易化を図ることができる。
【００２６】
第４及び第５の発明では、熱交換器が蒸発器として機能する際、冷媒の過熱領域（S1,S2）が重なることを防止できる。これにより、過熱領域（S1,S2）ばかりに空気が偏流してしまうことを抑制できる。この結果、過熱領域（S1,S2）以外の部分の扁平管（31,41）やフィン（32,42）の表面で着霜が生じたとしても、熱交換器の全域に空気を均一に流しやすくなり、熱交換効率、ひいては蒸発性能の向上を図ることができる。
【図面の簡単な説明】
【００２７】
【図１】図１は、実施形態１に係る空気調和機の概略構成を示す冷媒回路図である。
【図２】図２は、室外熱交換器の概略の斜視図である。
【図３】図３は、室外熱交換器の風上列部を平面状に展開した概略の構成図であり、凝縮器として機能する際の冷媒の流れを表している。
【図４】図４は、室外熱交換器の風下列部を平面状に展開した概略の構成図であり、凝縮器として機能する際の冷媒の流れを表している。
【図５】図５は、図３のＡで示した部分を拡大した縦断面図である。
【図６】図６は、図３のＢで示した部分を拡大した縦断面図である。
【図７】図７は、図５のVII-VII線断面図である。
【図８】図８は、図６のVIII-VIII線断面図である。
【図９】図９は、図６のVIIII-VIIII線断面図である。
【図１０】図１０は、図５のX-X線断面図である。
【図１１】図１１は、凝縮器として機能する室外熱交換器における冷媒と空気の温度変化を示すグラフである。
【図１２】図１２は、室外熱交換器の風上列部を平面状に展開した概略の構成図であり、蒸発器として機能する際の冷媒の流れを表している。
【００２８】
【図１３】図１３は、室外熱交換器の風下列部を平面状に展開した概略の構成図であり、蒸発器として機能する際の冷媒の流れを表している。
【図１４】図１４は、蒸発器として機能する室外熱交換器における冷媒と空気の温度変化を示すグラフである。
【図１５】図１５は、実施形態２に係る室外熱交換器の図２に相当する図である。
【図１６】図１６は、実施形態２に係る室外熱交換器の図３に相当する図である。
【図１７】図１７は、実施形態２に係る室外熱交換器の図４に相当する図である。
【図１８】図１８は、実施形態２に係る室外熱交換器の図１２に相当する図である。
【図１９】図１９は、実施形態２に係る室外熱交換器の図１３に相当する図である。
【図２０】図２０は、凝縮器として機能する室外熱交換器の概略の上面図である。
【図２１】図２１は、その他の実施形態に係る室外熱交換器の図７に相当する図である。
【発明を実施するための形態】
【００２９】
本発明の実施形態を図面に基づいて詳細に説明する。なお、以下で説明する各形態は、本質的に好ましい例示であって、本発明、その適用物、あるいはその用途の範囲を制限することを意図するものではない。
【００３０】
《実施形態１》
本実施形態の熱交換器は、空気調和機（10）に設けられた室外熱交換器（23）である。以下では、先ず空気調和機（10）について説明し、その後に室外熱交換器（23）について詳細に説明する。
【００３１】
〈空気調和機の全体構成〉
空気調和機（10）について、図１を参照しながら説明する。
【００３２】
空気調和機（10）は、室外ユニット（11）および室内ユニット（12）を備えている。室外ユニット（11）と室内ユニット（12）は、液側連絡配管（13）およびガス側連絡配管（14）を介して互いに接続されている。空気調和機（10）では、室外ユニット（11）、室内ユニット（12）、液側連絡配管（13）およびガス側連絡配管（14）が接続されることで、冷媒回路（20）が形成されている。
【００３３】
冷媒回路（20）には、圧縮機（21）と、四方切換弁（22）と、室外熱交換器（23）と、膨張弁（24）と、室内熱交換器（25）とが設けられている。圧縮機（21）、四方切換弁（22）、室外熱交換器（23）、および膨張弁（24）は、室外ユニット（11）に収容されている。室外ユニット（11）には、室外熱交換器（23）へ室外空気を供給するための室外ファン（15）が設けられている。室内熱交換器（25）は、室内ユニット（12）に収容されている。室内ユニット（12）には、室内熱交換器（25）へ室内空気を供給するための室内ファン（16）が設けられている。
【００３４】
冷媒回路（20）は、冷媒が充填された閉回路である。冷媒回路（20）において、圧縮機（21）は、その吐出管が四方切換弁（22）の第１のポートに、その吸入管が四方切換弁（22）の第２のポートに、それぞれ接続されている。冷媒回路（20）では、四方切換弁（22）の第３のポートから第４のポートへ向かって順に、室外熱交換器（23）と、膨張弁（24）と、室内熱交換器（25）とが配置されている。この冷媒回路（20）において、室外熱交換器（23）は、配管（17）を介して膨張弁（24）に接続され、配管（18）を介して四方切換弁（22）の第３のポートに接続される。
【００３５】
圧縮機（21）は、スクロール型またはロータリ型の全密閉型圧縮機である。四方切換弁（22）は、第１のポートが第３のポートと連通し且つ第２のポートが第４のポートと連通する第１状態（図１に実線で示す状態）と、第１のポートが第４のポートと連通し且つ第２のポートが第３のポートと連通する第２状態（図１に破線で示す状態）とに切り換わる。膨張弁（24）は、いわゆる電子膨張弁である。
【００３６】
室外熱交換器（23）は、室外空気を冷媒と熱交換させる。室外熱交換器（23）については後述する。一方、室内熱交換器（25）は、室内空気を冷媒と熱交換させる。室内熱交換器（25）は、円管である伝熱管を備えたいわゆるクロスフィン型のフィン・アンド・チューブ熱交換器によって構成されている。
【００３７】
−空気調和機の運転動作−
空気調和機（10）は、冷房運転と暖房運転を選択的に行う。
【００３８】
冷房運転中の冷媒回路（20）では、四方切換弁（22）を第１状態に設定した状態で、冷凍サイクルが行われる。この状態では、室外熱交換器（23）、膨張弁（24）、室内熱交換器（25）の順に冷媒が循環し、室外熱交換器（23）が凝縮器として機能し、室内熱交換器（25）が蒸発器として機能する。室外熱交換器（23）では、圧縮機（21）から流入したガス冷媒が室外空気へ放熱して凝縮し、凝縮後の冷媒が膨張弁（24）へ向けて流出してゆく。
【００３９】
暖房運転中の冷媒回路（20）では、四方切換弁（22）を第２状態に設定した状態で、冷凍サイクルが行われる。この状態では、室内熱交換器（25）、膨張弁（24）、室外熱交換器（23）の順に冷媒が循環し、室内熱交換器（25）が凝縮器として機能し、室外熱交換器（23）が蒸発器として機能する。室外熱交換器（23）には、膨張弁（24）を通過する際に膨張して気液二相状態となった冷媒が流入する。室外熱交換器（23）へ流入した冷媒は、室外空気から吸熱して蒸発し、その後に圧縮機（21）へ向けて流出してゆく。
【００４０】
〈室外熱交換器の全体構成〉
実施形態１に係る室外熱交換器（23）について図２〜図１１を適宜参照しながら説明する。なお、以下の説明に示す扁平管（31,41）の本数は、単なる一例である。
【００４１】
図２に示すように、室外熱交換器（23）は、４つの側面部（23a,23b,23c,23d）を有する４面式の空気熱交換器である。具体的に、室外熱交換器（23）では、第１側面部（23a）、第２側面部（23b）、第３側面部（23c）、及び第４側面部（23d）が連続して形成される。第１側面部（23a）は図２の左下側に位置し、第２側面部（23b）は図２の左上側に位置し、第３側面部（23c）は図２の右上側に位置し、第４側面部（23d）は、図２の右下側に位置する。各側面部（23a,23b,23c,23d）の高さは概ね等しい。第１側面部（23a）及び第４側面部（23d）の各幅は、第２側面部（23b）及び第３側面部（23c）の幅より短い。
【００４２】
室外熱交換器（23）では、室外ファン（15）が運転されることで、各側面部（23a,23b,23c,23d）の外側の室外空気が、各側面部（23a,23b,23c,23d）の内側へと流れる（図２の矢印を参照）。この空気は、室外ケーシング（図示省略）の上部に形成された吹出口より排出される。
【００４３】
図２〜図４に示すように、室外熱交換器（23）は、扁平管（31,41）とフィン（32,42）とを有する２つの列部（30,40）を有する二列構造の熱交換器である。室外熱交換器（23）は、３つ以上の列部を有していてもよい。本実施形態の室外熱交換器（23）では、空気の通過方向の風上側の列部が風上列部（30）を構成し、風下側の列部が風下列部（40）を構成している。なお、図３及び図４では、風上列部（30）及び風下列部（40）をそれぞれ平面状に展開して模式的に表している。
【００４４】
室外熱交換器（23）は、第１ヘッダ集合管（50）、第２ヘッダ集合管（60）、第３ヘッダ集合管（70）、第４ヘッダ集合管（80）、第１分流ユニット（91）、及び第２分流ユニット（92）を有している。第１ヘッダ集合管（50）は、風上列部（30）のうち第１側面部（23a）側の一端部近傍に立設している。第２ヘッダ集合管（60）は、風上列部（30）のうち第４側面部（23d）側の他端部近傍に立設している。第３ヘッダ集合管（70）は、風下列部（40）のうち第１側面部（23a）側の一端部近傍に立設している。第４ヘッダ集合管（80）は、風下列部（40）のうち第４側面部（23d）側の他端部近傍に立設している。第１分流ユニット（91）は、第１ヘッダ集合管（50）の近傍に立設している。第２分流ユニット（92）は、第３ヘッダ集合管（70）の近傍に立設している。
【００４５】
扁平管（31,41）、フィン（32,42）、第１ヘッダ集合管（50）、第２ヘッダ集合管（60）、第３ヘッダ集合管（70）、第４ヘッダ集合管（80）、第１分流ユニット（91）、及び第２分流ユニット（92）は、何れもアルミニウム合金製の部材であって、互いにロウ付けによって接合されている。
【００４６】
〔風上列部〕
図２、図３、図５〜図１０に示すように、風上列部（30）は、多数の扁平管（31）と、多数のフィン（32）とを備えている。
【００４７】
扁平管（31）は、その軸直角断面の形状が扁平な略長円形となった伝熱管である（図７を参照）。複数の扁平管（31）は、上下の平坦な部分が対向する状態で配置される。つまり、複数の扁平管（31）は、互いに一定の間隔をおいて上下に並んで配列され、互いの筒軸が実質的に平行になっている。
【００４８】
図２に示すように、扁平管（31）は、第１側面部（23a）に沿った第１風上管部（31a）と、第２側面部（23b）に沿った第２風上管部（31b）と、第３側面部（23c）に沿った第３風上管部（31c）と、第４側面部（23d）に沿った第４風上管部（31d）とを有している。図２に示すように、扁平管（31）には、第１風上管部（31a）を第２風上管部（31b）に対して水平内向きに略直角に折り曲げる第１風上屈曲部（33a）と、第２風上管部（31b）に対して第３風上管部（31c）を水平内向きに略直角に折り曲げる第２風上屈曲部（33b）と、第３風上管部（31c）に対して第４風上管部（31d）を水平内向きに略直角に折り曲げる第３風上屈曲部（33c）とが設けられる。
【００４９】
各扁平管（31）は、第１風上管部（31a）の端部が第１ヘッダ集合管（50）に挿入され（図５を参照）、第４風上管部（31d）の端部が第２ヘッダ集合管（60）に挿入される（図６を参照）。
【００５０】
図７に示すように、各扁平管（31）には、複数の冷媒流路（C）が形成されている。複数の冷媒流路（C）は、扁平管（31）の筒軸方向に延びる通路であり、扁平管（31）の幅方向（空気の通過方向）に一列に並んでいる。各冷媒流路（C）は、扁平管（31）の両端面に開口している。風上列部（30）へ供給された冷媒は、扁平管（31）の冷媒流路（C）を流れる間に空気と熱交換する。風上列部（30）の各扁平管（31）の複数の冷媒流路（C）は、風上冷媒流路群（C1）を構成している。
【００５１】
図７に示すように、フィン（32）は、金属板をプレス加工することによって形成された縦長の板状フィンである。複数のフィン（32）は、扁平管（31）の軸方向に一定の間隔をおいて配列されている。フィン（32）には、フィン（32）の外縁（即ち、風上側の縁部）からフィン（32）の幅方向に延びる細長い切り欠き部（32a）が、多数形成されている。フィン（32）では、多数の切り欠き部（32a）がフィン（32）の長手方向（上下方向）に一定の間隔で形成されている。切り欠き部（32a）の風上寄りの部分は、管挿入部（32b）を構成している。扁平管（31）は、管挿入部（32b）に挿入され、管挿入部（32b）の周縁部とロウ付けによって接合される。また、フィン（32）には、伝熱を促進するためのルーバー（32c）が形成されている。
【００５２】
図３に示すように、風上列部（30）には、上下に２つの熱交換領域（35,37）が形成されている。上側の熱交換領域は、風上主熱交換領域（35）を構成し、下側の熱交換領域は、風上補助熱交換領域（37）を構成する。風上補助熱交換領域（37）に対応する扁平管（31）の本数は、風上主熱交換領域（35）を構成する扁平管（31）の本数よりも少ない。
【００５３】
風上主熱交換領域（35）は、上下に並ぶ６つの風上主熱交換部（36）に区分されている。風上補助熱交換領域（37）は、上下に並ぶ６つの風上補助熱交換部（38）に区分されている。つまり、風上主熱交換領域（35）と風上補助熱交換領域（37）は、それぞれ同数の熱交換部に区分されている。なお、風上主熱交換部（36）及び風上補助熱交換部（38）の数は単なる一例であり、複数であることが好ましい。
【００５４】
図３及び図６に示すように、各風上主熱交換部（36）には、同数（例えば６本）の扁平管（31）が設けられている。各風上主熱交換部（36）に設けられる扁平管（31）の数は単なる例示であり、複数本又は１本であってもよい。
【００５５】
図３及び図５に示すように、各風上補助熱交換部（38）には、同数（例えば２本）の扁平管（31）が設けられている。各風上補助熱交換部（38）に設けられる扁平管（31）の数は単なる例示であり、複数本又は１本であってもよい。
【００５６】
〔風下列部〕
図２、図４、図５〜図１０に示すように、風下列部（40）は、多数の扁平管（41）と、多数のフィン（42）とを備えている。
【００５７】
扁平管（41）は、その軸直角断面の形状が扁平な略長円形となった伝熱管である（図７を参照）。複数の扁平管（41）は、上下の平坦な部分が対向する状態で配置される。つまり、複数の扁平管（41）は、互いに一定の間隔をおいて上下に並んで配列され、互いの筒軸が実質的に平行になっている。
【００５８】
図２に示すように、扁平管（41）は、第１風上管部（31a）の内縁に沿った第１風下管部（41a）と、第２風上管部（31b）の内縁に沿った第２風下管部（41b）と、第３風上管部（31c）の内縁に沿った第３風下管部（41c）と、第４風上管部（31d）の内縁に沿った第４風下管部（41d）とを有している。扁平管（41）には、第１風下管部（41a）を第２風下管部（41b）に対して水平内向きに略直角に折り曲げる第１風下屈曲部（43a）と、第２風下管部（41b）に対して第３風下管部（41c）を水平内向きに略直角に折り曲げる第２風下屈曲部（43b）と、第３風下管部（41c）に対して第４風下管部（41d）を水平内向きに略直角に折り曲げる第３風下屈曲部（43c）とが設けられる。
【００５９】
各扁平管（41）は、第１風下管部（41a）の端部が第３ヘッダ集合管（70）に挿入され、第４風下管部（41d）の端部が第４ヘッダ集合管（80）に挿入される（図４を参照）。
【００６０】
図７〜図１０に示すように、各扁平管（41）には、複数の冷媒流路（C）が形成されている。複数の冷媒流路（C）は、扁平管（41）の筒軸方向に延びる通路であり、扁平管（41）の幅方向（空気の通過方向）に一列に並んでいる。各冷媒流路（C）は、扁平管（41）の両端面に開口している。風下列部（40）へ供給された冷媒は、扁平管（41）の冷媒流路（C）を流れる間に空気と熱交換する。風下列部（40）の各扁平管（41）の複数の冷媒流路（C）は、風下冷媒流路群（C2）を構成している。
【００６１】
図７に示すように、フィン（42）は、金属板をプレス加工することによって形成された縦長の板状フィンである。複数のフィン（42）は、扁平管（41）の軸方向に一定の間隔をおいて配列されている。フィン（42）には、フィン（42）の外縁（即ち、風上側の縁部）からフィン（42）の幅方向に延びる細長い切り欠き部（42a）が、多数形成されている。フィン（42）では、多数の切り欠き部（42a）がフィン（42）の長手方向（上下方向）に一定の間隔で形成されている。切り欠き部（42a）の風上寄りの部分は、管挿入部（42b）を構成している。扁平管（41）は、管挿入部（42b）に挿入され、管挿入部（42b）の周縁部とロウ付けによって接合される。また、フィン（42）には、伝熱を促進するためのルーバー（42c）が形成されている。
【００６２】
図４に示すように、風下列部（40）には、上下に２つの熱交換領域（45,47）が形成されている。上側の熱交換領域は、風下主熱交換領域（45）を構成し、下側の熱交換領域は、風下補助熱交換領域（47）を構成する。風下補助熱交換領域（47）に対応する扁平管（41）の本数は、風下主熱交換領域（45）を構成する扁平管（41）の本数よりも少ない。
【００６３】
風下主熱交換領域（45）は、上下に並ぶ６つの風下主熱交換部（46）に区分されている。風下補助熱交換領域（47）は、上下に並ぶ６つの風下補助熱交換部（48）に区分されている。つまり、風下主熱交換領域（45）と風下補助熱交換領域（47）は、それぞれ同数の熱交換部に区分されている。なお、風下主熱交換部（46）及び風下補助熱交換部（48）の数は単なる一例であり、複数であることが好ましい。
【００６４】
図４に示すように、各風下主熱交換部（46）には、同数（例えば６本）の扁平管（41）が設けられている。各風下主熱交換部（46）に設けられる扁平管（41）の数は単なる例示であり、複数本又は１本であってもよい。
【００６５】
図５及び図６に示すように、各風下補助熱交換部（48）には、同数（例えば２本）の扁平管（41）が設けられている。各風下補助熱交換部（48）に設けられる扁平管（41）の数は単なる例示であり、複数本又は１本であってもよい。
【００６６】
〔第３ヘッダ集合管〕
図２及び図４に示すように、第３ヘッダ集合管（70）は、上下の両端が閉塞された円筒状の部材である。第３ヘッダ集合管（70）の長さ（高さ）は、風上列部（30）及び風下列部（40）の高さと概ね一致している。
【００６７】
第３ヘッダ集合管（70）の内部構造は、図５に示す第１ヘッダ集合管（50）と同様である。即ち、図４に示すように、第３ヘッダ集合管（70）の内部空間は、主仕切板（71）によって上下に仕切られている。主仕切板（71）の上側の空間は、風下主熱交換領域（45）に対応する風下上側空間（72）である。主仕切板（81）の下側の空間は、風下補助熱交換領域（47）に対応する風下下側空間（73）である。風下上側空間（72）の上下方向の中間部には、１本の第２主ガス管（72a）の一端が接続される。第２主ガス管（72a）の他端は、ガス側連絡配管（14）と連通している。
【００６８】
風下下側空間（73）は、上下に等間隔置きに並んだ５枚の仕切板（74）によって６つ風下補助空間（75）に仕切られている。これらの６つの風下補助空間（75）は、６つの風下補助熱交換部（48）にそれぞれ１つずつ対応している。各風下補助空間（75）には、例えば２本の扁平管（41）の第１風下管部（41a）がそれぞれ連通している。
【００６９】
〔第４ヘッダ集合管〕
図２、図４、図８〜図１０に示すように、第４ヘッダ集合管（80）は、上下の両端が閉塞された円筒状の部材である。第４ヘッダ集合管（80）の長さ（高さ）は、風上列部（30）及び風下列部（40）の高さと概ね一致している。
【００７０】
第４ヘッダ集合管（80）の内部構造は、図６に示す第２ヘッダ集合管（60）と同様である。即ち、図４に示すように、第４ヘッダ集合管（80）の内部空間は、主仕切板（81）によって上下に仕切られている。主仕切板（81）の上側の空間は、風下主熱交換領域（45）に対応する風下上側空間（82）である。主仕切板（81）の下側の空間は、風下補助熱交換領域（47）に対応する風下下側空間（83）である。
【００７１】
風下上側空間（82）は、上下に等間隔置きに並んだ５枚の仕切板（84）によって６つの風下主連絡空間（85）に仕切られている。これらの６つの風下主連絡空間（85）は、６つの風下主熱交換部（46）にそれぞれ１つずつ対応している。風下主連絡空間（85）には、例えば６本の扁平管（41）の第１風下管部（41a）がそれぞれ連通している。
【００７２】
風下下側空間（83）は、上下に等間隔置きに並んだ５枚の仕切板（86）によって６つの風下補助連絡空間（87）に仕切られている。これらの６つの風下補助連絡空間（87）は、６つの風下補助熱交換部（48）にそれぞれ１つずつ対応している。各風下補助連絡空間（87）には、例えば２本の扁平管（41）の各第４風下管部（41d）がそれぞれ連通している。
【００７３】
第４ヘッダ集合管（80）には、６つの風下連絡管（88）が接続されている。風下連絡管（88）は、風下列部（40）の風下主熱交換領域（45）の扁平管（41）の端部と風下補助熱交換領域（47）の扁平管（41）の端部とを繋いでいる。
【００７４】
具体的には、第１の風下連絡管（88）は、最上段の風下補助連絡空間（87）と最下段の風下主連絡空間（85）とを接続し、第２の風下連絡管（88）は、上から２段目の風下補助連絡空間（87）と下から２段目の風下主連絡空間（85）とを接続し、第３の風下連絡管（88）は、上から３段目の風下補助連絡空間（87）と下から３段目の風下主連絡空間（85）とを接続している。第４の風下連絡管（88）は、上から４段目の風下補助連絡空間（87）と下から４段目の風下主連絡空間（85）とを接続し、第５の風下連絡管（88）は、上から５段目の風下補助連絡空間（87）と下から５段目の風下主連絡空間（85）とを接続し、第６の風下連絡管（88）は、最下段の風下補助連絡空間（87）と最上段の風下主連絡空間（85）とを接続している。
【００７５】
〔第１分流ユニット〕
図２及び図３に示すように、第１分流ユニット（91）は、第１ヘッダ集合管（50）に取り付けられている。第１分流ユニット（91）は、円筒部（91a）と、６本の液側接続管（91b）と、１本の第１主液管（91c）とを有している。
【００７６】
円筒部（91a）は、第１ヘッダ集合管（50）よりも低い円筒状に形成され、第１ヘッダ集合管（50）の下部に沿って起立している。６本の液側接続管（91b）は、上下に配列されて円筒部（91a）に接続されている。各液側接続管（91b）の本数は、風上補助連絡空間（67）の数と同数（本例では６つ）である。各液側接続管（91b）は、各風上補助連絡空間（67）とそれぞれ連通している。第１主液管（91c）の一端は、円筒部（91a）の下部に接続されている。第１主液管（91c）と各液側接続管（91b）とは、円筒部（91a）の内部空間を介して連通している。
【００７７】
〔第２分流ユニット〕
図２及び図４に示すように、第２分流ユニット（92）は、第３ヘッダ集合管（70）に取り付けられている。第２分流ユニット（92）は、円筒部（92a）と、６本の液側接続管（92b）と、１本の第２主液管（92c）とを有している。
【００７８】
円筒部（92a）は、第３ヘッダ集合管（70）よりも低い円筒状に形成され、第３ヘッダ集合管（70）の下部に沿って起立している。６本の液側接続管（92b）は、上下に配列されて円筒部（92a）に接続されている。各液側接続管（92b）の本数は、風下補助空間（75）の数と同数（本例では６つ）である。各液側接続管（92b）は、各風下補助空間（75）とそれぞれ連通している。第２主液管（92c）の一端は、円筒部（92a）の下部に接続されている。第２主液管（92c）と各液側接続管（92b）とは、円筒部（92a）の内部空間を介して連通している。
【００７９】
〔液分岐管〕
図２に模式的に示すように、第１分流ユニット（91）の第１主液管（91c）と第２分流ユニット（92）の第２主液管（92c）とには、液分岐管（28）が接続されている。液分岐管（28）は、二手に分岐し、各分流ユニット（91,92）及び各補助空間（55,75）と連通している。つまり、液分岐管（28）は、風上列部（30）の各扁平管（31）の他端部（第１風上管部（31a））と、風下列部（40）の各扁平管（41）の他端部（第１風下管部（41a））に分岐して連通している。
【００８０】
〔ガス分岐管〕
図２に模式的に示すように、風上列部（30）の第１主ガス管（52a）と風下列部（40）の第２主ガス管（72a）とには、ガス分岐管（29）が接続されている。ガス分岐管（29）は、二手に分岐し、風上上側空間（52）及び風下上側空間（72）と連通している。つまり、ガス分岐管（29）は、風上列部（30）の他端部（第１風上管部（31a））と、風下列部（40）の他端部（第１風下管部（41a））に分岐するように連通している。
【００８１】
−室外熱交換器の冷媒流れについて−
室外熱交換器（23）は、凝縮器及び蒸発器として機能する際、風上列部（30）の各扁平管（31）を流れる冷媒と、風下列部（40）の各扁平管（41）を流れる冷媒とが並行になるように構成される。具体的に、凝縮器及び蒸発器として機能する室外熱交換器（23）は、風上列部（30）の風上主熱交換領域（35）の扁平管（31）と、風下列部（40）の風下主熱交換領域（45）の扁平管（41）とで冷媒が並行に流れ、且つ風上列部（30）の風下補助熱交換領域（47）の扁平管（31）と、風下列部（40）の風下補助熱交換領域（47）の扁平管（41）とで冷媒が並行に流れるように構成される。つまり、凝縮器及び蒸発器として機能する室外熱交換器（23）は、風上主熱交換領域（35）の風上冷媒流路群（C1）を流れる冷媒と、風下主熱交換領域（45）の風下冷媒流路群（C2）を流れる冷媒とが互いに並行に流れるように構成される。
【００８２】
更に室外熱交換器（23）は、凝縮器及び蒸発器として機能する際、風上列部（30）の各扁平管（31）を流れる冷媒と、風下列部（40）の各扁平管（41）を流れる冷媒とが互いに同じ方向となるように構成される。具体的に、凝縮器及び蒸発器として機能する室外熱交換器（23）は、風上列部（30）の風上主熱交換領域（35）の扁平管（31）と、風下列部（40）の風下補助熱交換領域（47）の扁平管（41）とで冷媒が互いに同一方向に流れる。つまり、凝縮器及び蒸発器として機能する室外熱交換器（23）は、風上主熱交換領域（35）の風上冷媒流路群（C1）を流れる冷媒と、風下主熱交換領域（45）の風下冷媒流路群（C2）を流れる冷媒とが互いに同一方向に流れる。
【００８３】
〔凝縮器の場合の冷媒の流れ〕
空気調和機（10）の冷房運転中には、室内熱交換器（25）が蒸発器として機能し、室外熱交換器（23）が凝縮器として機能する。ここでは、冷房運転中における室外熱交換器（23）での冷媒の流れを説明する。
【００８４】
室外熱交換器（23）には、圧縮機（21）から吐出されたガス冷媒が、ガス分岐管（29）に流入し、第１主ガス管（52a）と第２主ガス管（72a）とに分流する。
【００８５】
図３に示すように、第１主ガス管（52a）へ供給された冷媒は、第１ヘッダ集合管（50）の風上上側空間（52）に流入し、各風上主熱交換部（36）に分配される。各風上主熱交換部（36）の各扁平管（31）の各風上冷媒流路群（C1）を通過する各冷媒は、空気へ放熱して凝縮していく。その後、各冷媒は、第２ヘッダ集合管（60）の各風上主連絡空間（65）へ供給され、各風上連絡管（68）に流入する。各風上連絡管（68）を流れた各冷媒は、第２ヘッダ集合管（60）の各風上補助連絡空間（67）へ供給され、各風上補助熱交換部（38）に分配される。各風上補助熱交換部（38）の各扁平管（31）の各風上冷媒流路群（C1）を通過する各冷媒は、空気へ更に放熱して凝縮し、過冷却状態（即ち、液単相状態）となる。
【００８６】
過冷却状態となった液冷媒は、第１ヘッダ集合管（50）の各風上補助空間（55）へ供給され、第１分流ユニット（91）で合流し、第１主液管（91c）を流れる。
【００８７】
図４に示すように、第２主ガス管（72a）へ供給された冷媒は、第３ヘッダ集合管（70）の風下上側空間（72）に流入し、風下主熱交換部（46）に分配される。各風下主熱交換部（46）の各扁平管（41）の各風下冷媒流路群（C2）を通過する各冷媒は、空気へ放熱して凝縮していく。その後、各冷媒は、第４ヘッダ集合管（80）の各風下主連絡空間（85）へ供給され、各風下連絡管（88）に流入する。各風下連絡管（88）を流れた各冷媒は、第４ヘッダ集合管（80）の各風下補助連絡空間（87）へ供給され、各風下補助熱交換部（48）に分配される。各風下補助熱交換部（48）の各扁平管（41）の各風下冷媒流路群（C2）を通過する各冷媒は、空気へ更に放熱して凝縮し、過冷却状態（即ち、液単相状態）となる。
【００８８】
過冷却状態となった液冷媒は、第３ヘッダ集合管（70）の各風下補助空間（75）へ供給され、第２分流ユニット（92）で合流し、第２主液管（92c）を流れる。
【００８９】
第１主液管（91c）を流れる冷媒と、第２主液管（92c）を流れる冷媒とは、液分岐管（28）で合流し、液側連絡配管（13）へ送られる。
【００９０】
〔凝縮器の場合の冷媒と空気の温度変化〕
凝縮器として機能する室外熱交換器（23）における空気と冷媒の温度変化の一例を、図１１に示す。
【００９１】
風上主熱交換領域（35）の扁平管（31）には、７０℃の過熱状態のガス冷媒が流入する。この冷媒は、風上主熱交換領域（35）の扁平管（31）の風上冷媒流路群（C1）の途中で５０℃の飽和状態のガス冷媒となり、その後に次第に凝縮してゆく。風上主熱交換領域（35）から流出した冷媒は、風上補助熱交換領域（37）の扁平管（31）に流入する。この冷媒は、風上補助熱交換領域（37）の扁平管（31）の風上冷媒流路群（C1）で液単相状態の飽和冷媒（飽和温度５０℃）となり、その後、更に放熱して過冷却状態（例えば４２℃）となる。
【００９２】
風下主熱交換領域（45）の扁平管（41）には、７０℃の過熱状態のガス冷媒が流入する。この冷媒は、風下主熱交換領域（45）の扁平管（41）の風下冷媒流路群（C2）の途中で５０℃の飽和状態のガス冷媒となり、その後に次第に凝縮してゆく。風下主熱交換領域（45）から流出した冷媒は、風下補助熱交換領域（47）の扁平管（41）に流入する。この冷媒は、風下補助熱交換領域（47）の扁平管（41）の風下冷媒流路群（C2）で液単相状態の飽和冷媒（飽和温度５０℃）となり、その後、更に放熱して過冷却状態（例えば４７℃）となる。
【００９３】
一方、風上主熱交換領域（35）と風下補助熱交換領域（37）には、例えば３５℃の空気が流入する。風下主熱交換領域（45）には、風上主熱交換領域（35）で加熱された４５℃の空気が流入し、風下補助熱交換領域（37）には、風上補助熱交換領域（35）を通過する際に加熱された４０℃の空気が流入する。
【００９４】
このように、室外熱交換器（23）が凝縮器として機能する場合、室外熱交換器（23）の全体において冷媒の温度が空気の温度よりも高くなり、冷媒が空気へ放出する熱量（即ち、冷媒の放熱量）が確保される。
【００９５】
〔蒸発器の場合の冷媒の流れ〕
空気調和機（10）の暖房運転中には、室内熱交換器（25）が凝縮器として機能し、室外熱交換器（23）が蒸発器として機能する。ここでは、暖房運転中における室外熱交換器（23）での冷媒の流れを説明する。
【００９６】
室外熱交換器（23）には、膨張弁（24）を通過する際に膨張して気液二相状態となった冷媒が、配管（17）を通じて供給される。この冷媒は、液分岐管（28）に流入し、第１主液管（91c）と第２主液管（92c）とに分流する。
【００９７】
図１２に示すように、第１分流ユニット（91）に供給された冷媒は、各液側接続管（91b）に分流し、第１ヘッダ集合管（50）の各風上補助空間（55）より各風上補助熱交換部（38）へ分配される。各風上補助熱交換部（38）の各扁平管（31）の各風上冷媒流路群（C1）を通過する各冷媒は、空気から吸熱して蒸発していく。その後、各冷媒は、第２ヘッダ集合管（60）の各風上補助連絡空間（67）へ供給され、各風上連絡管（68）に流入する。各風上連絡管（68）を流れた各冷媒は、第２ヘッダ集合管（60）の各風上主連絡空間（65）へ供給され、各風上主熱交換部（36）に分配される。各風上主熱交換部（36）の各扁平管（31）の各風上冷媒流路群（C1）を通過する各冷媒は、空気から更に吸熱して蒸発し、過熱状態（即ち、ガス単相状態）となる。
【００９８】
過熱状態となったガス冷媒は、第１ヘッダ集合管（50）の風上上側空間（52）で合流し、第１主ガス管（52a）よりガス側連絡配管（14）へ送られる。
【００９９】
図１３に示すように、第２分流ユニット（92）に供給された冷媒は、各液側接続管（92b）に分流し、第３ヘッダ集合管（70）の各風下補助空間（75）より各風下補助熱交換部（48）へ分配される。各風下補助熱交換部（48）の各扁平管（41）の各風下冷媒流路群（C2）を通過する各冷媒は、空気から吸熱して蒸発していく。その後、各冷媒は、第４ヘッダ集合管（80）の各風下補助連絡空間（87）へ供給され、各風下連絡管（88）に流入する。各風下連絡管（88）を流れた各冷媒は、第４ヘッダ集合管（80）の各風下主連絡空間（85）へ供給され、各風下主熱交換部（46）に分配される。各風下主熱交換部（46）の各扁平管（41）の各風下冷媒流路群（C2）を通過する各冷媒は、空気から更に吸熱して蒸発し、過熱状態（即ち、ガス単相状態）となる。
【０１００】
過熱状態となったガス冷媒は、第３ヘッダ集合管（70）の風下上側空間（72）で合流し、第２主ガス管（72a）を流れる。
【０１０１】
第１主ガス管（52a）を流れる冷媒と、第２主ガス管（72a）を流れる冷媒とは、ガス分岐管（29）で合流し、ガス側連絡配管（14）へ送られる。
【０１０２】
〔蒸発器の場合の冷媒と空気の温度変化〕
蒸発器として機能する室外熱交換器（23）における空気と冷媒の温度変化の一例を、図１４を参照しながら説明する。
【０１０３】
風上補助熱交換領域（37）の扁平管（31）には、飽和温度１．５℃の気液二相状態の冷媒が流入する。風上補助熱交換領域（37）の扁平管（31）では、冷媒が風上冷媒流路群（C1）を通過する際の圧力損失に起因して、冷媒の飽和温度が約０．５℃まで次第に低下する。
【０１０４】
風上補助熱交換領域（37）から流出した気液二相状態の冷媒は、風上主熱交換領域（35）の扁平管（41）に流入する。風上主熱交換領域（35）の扁平管（31）では、冷媒が風上冷媒流路群（C1）を通過する際の圧力損失に起因して、冷媒の飽和温度が更に低下する（例えば０℃）。この冷媒は、風上主熱交換領域（35）の扁平管（31）の途中でガス単相状態となり、その温度が１℃まで上昇した後、風上主熱交換領域（35）の扁平管（31）から流出する。
【０１０５】
風下補助熱交換領域（47）の扁平管（41）には、飽和温度１．５℃の気液二相状態の冷媒が流入する。風下補助熱交換領域（47）の扁平管（41）では、冷媒が風下冷媒流路群（C2）を通過する際の圧力損失に起因して、冷媒の飽和温度が約０．５℃まで次第に低下する。
【０１０６】
風下補助熱交換領域（47）の扁平管（41）には、飽和温度１．５℃の気液二相状態の冷媒が流入する。風下補助熱交換領域（47）の扁平管（41）では、冷媒が風下冷媒流路群（C2）を通過する際の圧力損失に起因して、冷媒の飽和温度が約０．５℃まで次第に低下する。
【０１０７】
風下補助熱交換領域（47）から流出した気液二相状態の冷媒は、風下主熱交換領域（45）の扁平管（41）に流入する。風下主熱交換領域（45）の扁平管（41）では、冷媒が風下冷媒流路群（C2）を通過する際の圧力損失に起因して、冷媒の飽和温度が更に低下する（例えば約０℃）。この冷媒は、風下主熱交換領域（45）の扁平管（41）の途中でガス単相状態となり、その温度が１℃まで上昇した後、風下主熱交換領域（45）の扁平管（41）から流出する。
【０１０８】
一方、風上補助熱交換領域（37）と風上主熱交換領域（35）とには、例えば７℃の空気が流入する。また、風下補助熱交換領域（47）には、風上補助熱交換領域（37）を通過する際に冷却された３℃の空気が流入し、風下主熱交換領域（45）には、風上主熱交換領域（35）を通過する際に冷却された２℃の空気が流入する。
【０１０９】
このように、室外熱交換器（23）が蒸発器として機能する場合は、室外熱交換器（23）の全体において冷媒の温度が空気の温度よりも低くなり、冷媒が空気から吸収する熱量（即ち、冷媒の吸熱量）が確保される。
【０１１０】
〔圧力損失の低減効果〕
以上のように、本実施形態では、室外熱交換器（23）が凝縮器として機能する場合と、蒸発器として機能する場合との双方において、冷媒が風上冷媒流路群（C1）と風下冷媒流路群（C2）とを並行に流れる。
【０１１１】
例えば冷媒が２つの冷媒流路群（C1,C2）を直列に流れる構成（比較例）では、各扁平管（31,41）を流れる冷媒の流速は、本実施形態の２倍となり、冷媒流路（C）の全長も２倍となる。冷媒流路（C）の圧力損失は、流速の２乗に比例し、冷媒流路の全長に比例する。従って、比較例の冷媒流路（C）の圧力損失は、本実施形態の概ね８倍（＝２×２２)となる。即ち、本実施形態では、風上列部（30）の冷媒流路群（C1）と風上列部（40）の冷媒流路群（C2）とにそれぞれ冷媒を並列に流すことで、比較例と比べて冷媒流路（C）の圧力損失を１／８まで低減できる。
【０１１２】
このようにして冷媒の圧力損失を低減できると、例えば蒸発器の室外熱交換器（23）において、冷媒の圧力の低下を防止できる。即ち、蒸発器の室外熱交換器（23）では、圧力損失に起因する冷媒の圧力の低下量を低減できるため、室外熱交換器（23）の入口と出口の圧力差（即ち、圧縮機（21）の吸入圧力と、室外熱交換器（23）の流入冷媒の圧力の差）を小さくできる。この結果、圧縮機（21）の吸入圧力を所定値とした場合、比較例と比べて室外熱交換器（23）に流入する冷媒の蒸発圧力、ひいては蒸発温度を低減できる。これにより、室外熱交換器（23）では、風上列部（30）の冷媒流路群（C1）を流れる冷媒と、風上列部（30）を通過する空気の温度の差を増大でき、室外熱交換器（23）の蒸発能力を向上できる。
【０１１３】
−実施形態１の効果−
実施形態１では、以下の作用及び効果を奏することができる。
【０１１４】
各列部（30,40）の扁平管（31,41）において冷媒を並行に流すようにしたので、各扁平管（31,41）の冷媒流路（C）を流れる冷媒の圧力損失を大幅に低減できる。この結果、圧力損失の増大に起因する動力の増大を抑制しつつ、所望の熱交換効率を得ることができる。
【０１１５】
扁平管（31,41）を幅方向に長くする必要がないので、各列部（30,40）の扁平管（31,41）の曲げ加工も容易となる。これにより、各列部（30,40）の扁平管（31,41）を折り曲げて、４面式の熱交換器を製造でき、熱交換器のコンパクト化を図ることができる。
【０１１６】
図２に示すように、各列部（30,40）に冷媒を並行に流すための液分岐管（28）やガス分岐管（29）を集約して配置できる。これにより、配管のスペースをコンパクト化、あるいは配管の据え付けの容易化を図ることができる。
【０１１７】
また、各扁平管（31,41）の幅が短くなることで、各列部（30,40）の扁平管（31,41）の間の通風抵抗を低減でき、熱透過率の減少を抑制できる。更に、扁平管（31,41）の幅が狭くなることで、扁平管（31,41）の上側に結露水が滞ることを防止できる。この結果、扁平管（31,41）の表面での着霜を防止できる。
【０１１８】
《実施形態２》
実施形態２の空気調和機（10）は、実施形態１と室外熱交換器（23）の構成が異なる。実施形態２の室外熱交換器（23）において、風上列部（30）の構成は実施形態１と同様である。以下には、実施形態１と異なる点について図１５〜図２０を参照しながら説明する。
【０１１９】
実施形態２では、第３ヘッダ集合管（70）が、風下列部（40）のうち第４側面部（23d）側の一端部近傍に立設している。第４ヘッダ集合管（80）は、風下列部（40）のうち第１側面部（23a）側の他端部近傍に立設している。つまり、実施形態２は、実施形態１と第３ヘッダ集合管（70）と第４ヘッダ集合管（80）の位置が、扁平管（31,41）の長手方向において全く反対の位置関係となっている。第３ヘッダ集合管（70）の近傍には、実施形態１と同様、第２分流ユニット（92）の近傍に立設している。
【０１２０】
第１主ガス管（52a）及び第２主ガス管（72a）は、分岐管（図示省略）を介してガス側連絡配管（14）と連通している。第１主液管（91c）及び第２主液管（92c）は、分岐管（図示省略）を介して液側連絡配管（13）と連通している。
【０１２１】
−室外熱交換器の冷媒流れについて−
図１６〜図１９に示すように、室外熱交換器（23）は、凝縮器及び蒸発器として機能する際、風上列部（30）の各扁平管（31）を流れる冷媒と、風下列部（40）の各扁平管（41）を流れる冷媒とが並行になるように構成される。具体的に、凝縮器及び蒸発器として機能する室外熱交換器（23）は、風上列部（30）の風上主熱交換領域（35）の扁平管（31）と、風下列部（40）の風下主熱交換領域（45）の扁平管（41）とで冷媒が並行に流れ、且つ風上列部（30）の風下補助熱交換領域（47）の扁平管（31）と、風下列部（40）の風下補助熱交換領域（47）の扁平管（41）とで冷媒が並行に流れるように構成される。つまり、凝縮器及び蒸発器として機能する室外熱交換器（23）は、風上主熱交換領域（35）の風上冷媒流路群（C1）を流れる冷媒と、風下主熱交換領域（45）の風下冷媒流路群（C2）を流れる冷媒とが互いに並行に流れるように構成される。
【０１２２】
更に室外熱交換器（23）は、凝縮器及び蒸発器として機能する際、風上列部（30）の各扁平管（31）を流れる冷媒と、風下列部（40）の各扁平管（41）を流れる冷媒とが互いに逆方向となるように構成される。具体的に、凝縮器及び蒸発器として機能する室外熱交換器（23）は、風上列部（30）の風上主熱交換領域（35）の扁平管（31）と、風下列部（40）の風下補助熱交換領域（47）の扁平管（41）とで冷媒が互いに逆方向に流れる。つまり、凝縮器及び蒸発器として機能する室外熱交換器（23）は、風上主熱交換領域（35）の風上冷媒流路群（C1）を流れる冷媒と、風下主熱交換領域（45）の風下冷媒流路群（C2）を流れる冷媒とが互いに逆方向に流れる。
【０１２３】
〔凝縮器の場合〕
空気調和機（10）の冷房運転中には、室内熱交換器（25）が蒸発器として機能し、室外熱交換器（23）が凝縮器として機能する。ここでは、冷房運転中における室外熱交換器（23）での冷媒の流れを説明する。
【０１２４】
室外熱交換器（23）には、圧縮機（21）から吐出されたガス冷媒が、配管（18）を通じて供給される。この冷媒は、配管（18）から第１主ガス管（52a）と第２主ガス管（82a）とに分流する。
【０１２５】
図１６に示すように、第１主ガス管（52a）へ供給された冷媒は、第１ヘッダ集合管（50）の風上上側空間（52）に流入し、各風上主熱交換部（36）に分配される。各風上主熱交換部（36）の各扁平管（31）の各風上冷媒流路群（C1）を通過する各冷媒は、空気へ放熱して凝縮していく。その後、各冷媒は、第２ヘッダ集合管（60）の各風上主連絡空間（65）へ供給され、各風上連絡管（68）に流入する。各風上連絡管（68）を流れた各冷媒は、第２ヘッダ集合管（60）の各風上補助連絡空間（67）へ供給され、各風上補助熱交換部（38）に分配される。各風上補助熱交換部（38）の各扁平管（31）の各風上冷媒流路群（C1）を通過する各冷媒は、空気へ更に放熱して凝縮し、過冷却状態（即ち、液単相状態）となる。
【０１２６】
過冷却状態となった液冷媒は、第１ヘッダ集合管（50）の各風上補助空間（55）へ供給され、第１分流ユニット（91）で合流し、第１主液管（91c）より液側連絡配管（13）へ送られる。
【０１２７】
図１７に示すように、配管（18）から第２主ガス管（72a）へ供給された冷媒は、第３ヘッダ集合管（70）の風下上側空間（72）に流入し、風下主熱交換部（46）に分配される。各風下主熱交換部（46）の各扁平管（41）の各風下冷媒流路群（C2）を通過する各冷媒は、空気へ放熱して凝縮していく。その後、各冷媒は、第４ヘッダ集合管（80）の各風下主連絡空間（85）へ供給され、各風下連絡管（88）に流入する。各風下連絡管（88）を流れた各冷媒は、第４ヘッダ集合管（80）の各風下補助連絡空間（87）へ供給され、各風下補助熱交換部（48）に分配される。各風下補助熱交換部（48）の各扁平管（41）の各風下冷媒流路群（C2）を通過する各冷媒は、空気へ更に放熱して凝縮し、過冷却状態（即ち、液単相状態）となる。
【０１２８】
過冷却状態となった液冷媒は、第３ヘッダ集合管（70）の各風下補助空間（75）へ供給され、第２分流ユニット（92）で合流し、第１分流ユニット（91）から流出した冷媒とともに液側連絡配管（13）へ送られる。
【０１２９】
〔蒸発器の場合〕
空気調和機（10）の暖房運転中には、室内熱交換器（25）が凝縮器として機能し、室外熱交換器（23）が蒸発器として機能する。ここでは、暖房運転中における室外熱交換器（23）での冷媒の流れを説明する。
【０１３０】
室外熱交換器（23）には、膨張弁（24）を通過する際に膨張して気液二相状態となった冷媒が、配管（17）を通じて供給される。この冷媒は、配管（17）から第１分流ユニット（91）と第２分流ユニット（92）とに分流する。
【０１３１】
図１８に示すように、第１分流ユニット（91）に供給された冷媒は、各液側接続管（91b）に分流し、第１ヘッダ集合管（50）の各風上補助空間（55）より各風上補助熱交換部（38）へ分配される。各風上補助熱交換部（38）の各扁平管（31）の各風上冷媒流路群（C1）を通過する各冷媒は、空気から吸熱して蒸発していく。その後、各冷媒は、第２ヘッダ集合管（60）の各風上補助連絡空間（67）へ供給され、各風上連絡管（68）に流入する。各風上連絡管（68）を流れた各冷媒は、第２ヘッダ集合管（60）の各風上主連絡空間（65）へ供給され、各風上主熱交換部（36）に分配される。各風上主熱交換部（36）の各扁平管（31）の各風上冷媒流路群（C1）を通過する各冷媒は、空気から更に吸熱して蒸発し、過熱状態（即ち、ガス単相状態）となる。
【０１３２】
過熱状態となったガス冷媒は、第１ヘッダ集合管（50）の風上上側空間（52）で合流し、第１主ガス管（52a）よりガス側連絡配管（14）へ送られる。
【０１３３】
図１９に示すように、第２分流ユニット（92）に供給された冷媒は、各液側接続管（92b）に分流し、第３ヘッダ集合管（70）の各風下補助空間（75）より各風下補助熱交換部（48）へ分配される。各風下補助熱交換部（48）の各扁平管（41）の各風下冷媒流路群（C2）を通過する各冷媒は、空気から吸熱して蒸発していく。その後、各冷媒は、第４ヘッダ集合管（80）の各風下補助連絡空間（87）へ供給され、各風下連絡管（88）に流入する。各風下連絡管（88）を流れた各冷媒は、第４ヘッダ集合管（80）の各風下主連絡空間（85）へ供給され、各風下主熱交換部（46）に分配される。各風下主熱交換部（46）の各扁平管（41）の各風下冷媒流路群（C2）を通過する各冷媒は、空気から更に吸熱して蒸発し、過熱状態（即ち、ガス単相状態）となる。
【０１３４】
過熱状態となったガス冷媒は、第３ヘッダ集合管（70）の風下上側空間（72）で合流し、第１主ガス管（52a）から流出した冷媒とともにガス側連絡配管（14）へ送られる。
【０１３５】
〈空気の偏流の抑制対策について〉
ところで、室外熱交換器（23）が蒸発器として機能する際には、従来においては、室外熱交換器（23）を流れる空気が偏流し易いという問題があった。具体的に、室外熱交換器（23）において、２つの列部（30,40）にそれぞれ冷媒流路群（C1,C2）を形成し、これらの冷媒流路群（C1,C2）に並行に冷媒を流すとする。ここで、各冷媒流路群（C1,C2）において、気液二相状態の冷媒は、空気の冷却に用いられる。このため、空気中の水分が凝縮し、扁平管（31,41）やフィン（32,42）の表面に着霜することがある。
【０１３６】
一方、各冷媒流路群（C1,C2）において、気液二相状態の冷媒が更に蒸発すると、過熱状態となって温度が上昇する。従って、各扁平管（31,41）において、過熱状態の冷媒が流れる部分では、空気中の水分が結露しにくく、各扁平管（31,41）やフィン（32,42）の表面で着霜もほぼ生じない。
【０１３７】
このような理由から、隣り合う冷媒流路群（C1,C2）において、液状態ないし気液二相状態の冷媒が流れる部分と、過熱状態の冷媒が流れる部分とが、空気の通過方向に重なると、室外熱交換器（23）を流れる空気が偏流し易くなる、という問題が生じる。
【０１３８】
具体的には、隣り合う冷媒流路群（C1,C2）において、例えば液状態ないし気液二相状態の冷媒が流れる部分が空気の通過方向に重なると、この部分に対応する各扁平管（31,41）及び各フィン（32,42）の表面では、上述したように着霜が生じ易くなる。特に、扁平管（31,41）では、その表面に結露した水分が留まりやすいため、着霜量が大きくなる傾向になる。このような状態では、風上列部（30）と風下列部（40）の双方の扁平管（31,41）やフィン（32,42）で連続的に着霜が発生するため、この部分の通風抵抗が大きくなり易い。
【０１３９】
一方、隣り合う冷媒流路群（C1,C2）において、過熱領域の冷媒が流れる部分が空気の通過方向に重なると、この部分に対応する各扁平管（31,41）や各フィン（32,42）の表面では、着霜がほとんど生じない。従って、このような状態では、２列に重なった過熱領域に対応する部分の通風抵抗が、他の部分よりも小さくなり、この部分に空気が偏流し易くなるという問題が生じる。
【０１４０】
このようにして、空気の偏流が生じると、室外熱交換器（23）全体の扁平管（31,41）及びフィン（32,42）を冷媒と空気との伝熱に有効に利用できず、熱交換効率の低下を招いてしまう。そこで、本実施形態では、このような空気の偏流を防止するために、各列部（30,40）の過熱領域（S1,S2）が空気の通過方向に重ならないようしている。
【０１４１】
即ち、図１９〜図２１に示すように、室外熱交換器（23）では、上述のように、風上冷媒流路群（C1）を流れる冷媒と、風下冷媒流路群（C2）を流れる冷媒とが互いに逆方向になっている。このため、風上列部（30）の過熱領域（S1）は、扁平管（31）の第１風上管部（31a）の端部近傍に形成され、風下列部（40）の過熱領域（S2）は、扁平管（41）の第４風下管部（41d）の端部近傍に形成される。つまり、過熱領域（S1）と過熱領域（S2）とは、各扁平管（31,41）の長手方向において最も遠くに位置している。従って、過熱領域（S1）と過熱領域（S2）とが、空気の通過方向に重なることを確実に防止でき、ひいては上述した空気の偏流を防止できる。
【０１４２】
室外熱交換器（23）では、過熱領域（S1）と過熱領域（S2）とを空気の通過方向に重ならないようにするために、扁平管（31,41）の本数やサイズ、各冷媒流路（C）の数やサイズ、冷媒循環量、空気の風量等の各種のパラメータが設計されている。
【０１４３】
−実施形態２の効果−
実施形態２においても、実施形態１と同様にして、冷媒の圧力損失を低減できる。
【０１４４】
図１８〜図２０に示すように、室外熱交換器（23）が蒸発器として機能する際、冷媒の過熱領域（S1,S2）が重なることを防止できる。これにより、過熱領域（S1,S2）ばかりに空気が偏流してしまうことを抑制できる。この結果、過熱領域（S1,S2）以外の部分の扁平管（31,41）やフィン（32,42）の表面で着霜が生じたとしても、熱交換器の全域に空気を均一に流しやすくなり、熱交換効率、ひいては蒸発性能の向上を図ることができる。
【０１４５】
《その他の実施形態》
本開示の各種の形態では、以下のような構成としてもよい。
【０１４６】
室外熱交換器（23）では、隣り合うヘッダ集合管（50,70）、（60,80）がそれぞれ別体に構成されているが、これらの少なくとも一組のヘッダ集合管を一体化し、その内部空間を２列に区画する構成してもよい。
【０１４７】
室外熱交換器（23）では、２列の扁平管（31,41）の各冷媒流路群（C1,C2）の隣り合う過熱領域（S1,S2）を互いに重ならないようにしているが、例えば３列以上の冷媒流路群（C1,C2）において、隣り合う過熱領域を重ならないようにしてもよい。
【０１４８】
室外熱交換器（23）において、補助熱交換領域（37,47）を省略した構成としてもよい。
【０１４９】
本開示の熱交換器は、室外熱交換器（23）である。しかしながら、本開示の熱交換器を室内熱交換器（25）に適用してもよい。この場合、室内熱交換器（25）は、例えば天井埋め込み式、あるいは天井吊り下げ式の室内ユニットに搭載される４面式の熱交換器であることが好ましい。また、室外熱交換器（23）及び室内熱交換器（25）は、必ずしも４面式でなくてもよく、３面以下のものであってもよい。
【０１５０】
本開示の熱交換器は、例えば図７に示すように、風上列部（30）と風下列部（40）とに対応するように、風上側と風下側とにそれぞれ別体のフィン（32,42）が設けられる。しかしながら、例えば図２１に示すように、扁平管（31,41）を空気の通過方向に２列に配置する一方、風上側と風下側のフィン（32,42）を風上列部（30）と風下列部（40）とに跨がるように一体化してもよい。
【０１５１】
本開示の熱交換器のフィン（32,42）は、風上側の縁部に管挿入部（32b,42b）を形成し、この管挿入部（32b,42b）に扁平管（31,41）を挿入している。しかしながら、熱交換器は、フィン（32,42）の風下側の縁部に管挿入部を形成し、この管挿入部に扁平管（31,41）を挿入する構成としてもよい。また、本開示のフィン（32,42）では、伝熱促進部としてルーバ（32c,42c）を形成しているが、フィン（32,42）を厚さ方向に膨出させた膨出部（凸部）やスリット等を伝熱促進部としてもよい。
【０１５２】
上記実施形態の２列の列部（30,40）は、互いに異なる構成であってもよい。つまり、例えば２列の扁平管（31,41）において、各扁平管（31,41）の幅、各扁平管（31,41）厚さ方向（上下方向）の間隔、各扁平管（31,41）の冷媒流路（C）の流路面積、各扁平管（31,41）の冷媒流路（C）の数等を互いに異ならす構成としてもよい。また、２列のフィン（32,42）において、フィン（32,42）の幅（空気の通過方向の長さ）、フィン（32,42）の厚さ方向のピッチ（間隔）、フィン（32.42）の形状等を互いに異なる構成としてもよい。
【０１５３】
本開示の空気調和機において、複数の列部（30,40）に対応して１つずつ冷媒調整弁を設けてもよい。つまり、これらの冷媒調整弁の開度をそれぞれ個別に調節することで、各列部（30,40）に並列に流入する冷媒量を個別に調整することができる。
【産業上の利用可能性】
【０１５４】
以上説明したように、本発明は、熱交換器及び空気調和機について有用である。
【符号の説明】
【０１５５】
10    空気調和機
23    室外熱交換器（熱交換器）
28    液分岐管
29    ガス分岐管
30    風上列部（列部）
31    扁平管
32    フィン
33a   第１屈曲部（屈曲部）
33b   第２屈曲部（屈曲部）
33c   第３屈曲部（屈曲部）
40    風下列部（列部）
41    扁平管
42    フィン
68    風上連絡管
88    風下連絡管
C     冷媒流路
S1    過熱領域
S2    過熱領域
【図１】
2020020574.tif 000003
【図２】
2020020574.tif 000004
【図３】
2020020574.tif 000005
【図４】
2020020574.tif 000006
【図５】
2020020574.tif 000007
【図６】
2020020574.tif 000008
【図７】
2020020574.tif 000009
【図８】
2020020574.tif 000010
【図９】
2020020574.tif 000011
【図１０】
2020020574.tif 000012
【図１１】
2020020574.tif 000013
【図１２】
2020020574.tif 000014
【図１３】
2020020574.tif 000015
【図１４】
2020020574.tif 000016
【図１５】
2020020574.tif 000017
【図１６】
2020020574.tif 000018
【図１７】
2020020574.tif 000019
【図１８】
2020020574.tif 000020
【図１９】
2020020574.tif 000021
【図２０】
2020020574.tif 000022
【図２１】
2020020574.tif 000023
【手続補正書】
【提出日】令和1年11月6日(2019.11.6)
【手続補正１】
【補正対象書類名】明細書
【補正対象項目名】全文
【補正方法】変更
【補正の内容】
【発明の詳細な説明】
【技術分野】
【０００１】
本発明は、熱交換器に関する。
【背景技術】
【０００２】
従来より、平行に配列された多数の扁平管と、該扁平管に接合されるフィンとを備えた熱交換器が知られている。特許文献１（図２を参照）には、この種の熱交換器が開示されている。この熱交換器は、空気の通過方向に扁平管が１列に配置される１列構成の熱交換器である。熱交換器には、上側熱交換領域（主熱交換領域）と、下側熱交換領域（補助熱交換領域）とが形成されている。下側熱交換領域の扁平管の本数は、上側熱交換領域の扁平管の本数より少ない。
【０００３】
例えばこの熱交換器が蒸発器として機能する場合、飽和液状態の冷媒が、下側熱交換領域を流れ、空気から吸熱して蒸発する。この冷媒は、上側熱交換領域を流れて更に蒸発し、過熱状態となって熱交換器を流出する。
【先行技術文献】
【特許文献】
【０００４】
【特許文献１】特開２０１２−１６３３２８号公報
【発明の概要】
【発明が解決しようとする課題】
【０００５】
ところで、特許文献１に開示のような熱交換器の能力を向上させるためには、扁平管の長さを長くし、扁平管の内部の冷媒流路の流路長を長くすることが考えられる。しかしながら、このようにして冷媒流路の全長を長くすると、冷媒が通過する際の圧力損失の増大を招いてしまう。
【０００６】
更に、扁平管の内部に多数の冷媒流路を形成する熱交換器では、各冷媒流路の流路面積が比較的小さいため、各冷媒流路を流れる冷媒の流速が増大し易い。このため、各冷媒流路を流れる冷媒の圧力損失も更に大きくなってしまう。
【０００７】
一方、このような圧力損失の増大を抑制するために、扁平管を幅方向（空気の通過方向）に長くし、冷媒流路の数を増やす構成を採用することも考えられる。しかしながら、このようにして扁平管の幅が大きくなると、扁平管を、その幅方向に屈曲させる加工が難しくなり、空気が通過する複数の側面部を有する他面式（例えば４面式）の熱交換器を製造することが困難となってしまう。
【０００８】
本発明は、かかる点に鑑みてなされたものであり、その目的は、扁平管の内部に複数の冷媒流路が形成される熱交換器において、冷媒が各冷媒流路を流れる際の圧力損失の増大を抑制でき、且つ扁平管の幅方向の曲げ加工を容易に行えるようにすることである。
【課題を解決するための手段】
【０００９】
第１の発明は、互いに平行に配置され、それぞれに複数の冷媒流路（C）が形成される複数の扁平管（31,41）と、上記扁平管（31,41）に接合されるフィン（32,42）とを備え、上記冷媒流路（C）を流れる冷媒と空気とを熱交換させる熱交換器であって、複数の上記扁平管（31,41）を有する複数の列部（30,40）が空気の通過方向に配列され、上記複数の列部（30,40）は、該複数の列部（30,40）において冷媒が互い並列に流れるように構成され、上記複数の列部（30,40）の扁平管（31,41）は、空気の通過方向に隣り合う該列部（30,40）の扁平管（31,41）が互いに沿うように該扁平管（31,41）の幅方向に屈曲する１つ以上の屈曲部（33a,33b,33c）をそれぞれ有し、上記フィン（32,42）には、上記熱交換器の外側に対応する外縁に上記扁平管（31,41）が挿入される複数の管挿入部（32b,42b）が形成され、上記フィン（32,42）の上記熱交換器の内側に対応する内縁は、上記複数の扁平管（31,41）の配列方向に連続し、第１側面部（23a）及び第２側面部（23b）を有することを特徴とする。
【００１０】
第１の発明では、空気の通過方向に複数の列部（30,40）が設けられ、各列部（30,40）において複数の扁平管（31,41）が平行に配列される。熱交換器を冷媒が流れる際には、各列部（30,40）の各扁平管（31,41）を冷媒が並行に流れる。例えばこのような各列部（30,40）の扁平管（31,41）を直列に繋いで冷媒を流すと、各冷媒流路（C）を流れる冷媒の流量が大きくなり、各冷媒流路（C）を流れる冷媒の流速が大きくなる。また、各冷媒流路（C）の流路長も長くなる。これに対し、本発明では、各列部（30,40）の扁平管（31,41）を冷媒が並行に流れるため、各冷媒流路（C）を流れる冷媒の流量が小さくなり、各冷媒流路（C）を流れる冷媒の流速も小さくなる。また、各冷媒流路（C）の流路長も短くなる。冷媒流路（C）を流れる冷媒の圧力損失は、冷媒の流速の２乗、及び冷媒流路（C）の長さに比例する。従って、このような構成とすることで、圧力損失を低減できる。
【００１１】
また、熱交換器では、隣り合う列部（30,40）の扁平管（31,41）が互いに沿うように形成され、各扁平管（31,41）の１つ以上の屈曲部（33a,33b,33c）により折り曲げられる。このため、１列の扁平管（31,41）を幅方向に長くする構成と比較して、扁平管（31,41）の曲げ加工も容易となる。
【００１２】
第２の発明は、第１の発明において、第１側面部（23a）の幅が、第２側面部（23b）の幅より短いことを特徴とする。
【００１３】
第３の発明は、第１又は第２の発明において、前記第１側面部（23a）の一端には、第１ヘッダ集合管（50）が設けられていることを特徴とする。
【００１４】
第４の発明は、第１〜第３のいずれか１つの発明において、前記第１側面部（23a）、前記第２側面部（23b）、第３側面部（23c）、及び第４側面部（23d）を有する４面式であることを特徴とする。
【００１５】
第５の発明は、第４の発明において、前記第１側面部（23a）及び前記第４側面部（23d）の各幅が、前記第２側面部（23b）及び第３側面部（23c）の各幅よりも短いことを特徴とする。
【００１６】
第６の発明は、第４又は第５の発明において、前記第１側面部（23a）の一端には第１ヘッダ集合管（50）が設けられ、前記第４側面部（23d）の一端には第２ヘッダ集合管（60）が設けられることを特徴とする。
【発明の効果】
【００１７】
本発明では、各列部（30,40）の扁平管（31,41）において冷媒を並行に流すようにしたので、各扁平管（31,41）の冷媒流路（C）を流れる冷媒の圧力損失を大幅に低減できる。この結果、圧力損失の増大に起因する動力の増大を抑制しつつ、所望の熱交換効率を得ることができる。
【００１８】
また、扁平管（31,41）を幅方向に長くする必要がないので、各列部（30,40）の扁平管（31,41）の曲げ加工も容易となる。これにより、各列部（30,40）の扁平管（31,41）を折り曲げて、２〜４面式の熱交換器を製造でき、熱交換器のコンパクト化を図ることができる。また、各扁平管（31,41）の幅が短くなることで、各列部（30,40）の扁平管（31,41）の間の通風抵抗を低減でき、熱透過率の減少を抑制できる。更に、扁平管（31,41）の幅が狭くなることで、扁平管（31,41）の上側に結露水が滞ることを防止できる。この結果、扁平管（31,41）の表面での着霜を防止できる。
【図面の簡単な説明】
【００１９】
【図１】図１は、実施形態１に係る空気調和機の概略構成を示す冷媒回路図である。
【図２】図２は、室外熱交換器の概略の斜視図である。
【図３】図３は、室外熱交換器の風上列部を平面状に展開した概略の構成図であり、凝縮器として機能する際の冷媒の流れを表している。
【図４】図４は、室外熱交換器の風下列部を平面状に展開した概略の構成図であり、凝縮器として機能する際の冷媒の流れを表している。
【図５】図５は、図３のＡで示した部分を拡大した縦断面図である。
【図６】図６は、図３のＢで示した部分を拡大した縦断面図である。
【図７】図７は、図５のVII-VII線断面図である。
【図８】図８は、図６のVIII-VIII線断面図である。
【図９】図９は、図６のVIIII-VIIII線断面図である。
【図１０】図１０は、図５のX-X線断面図である。
【図１１】図１１は、凝縮器として機能する室外熱交換器における冷媒と空気の温度変化を示すグラフである。
【図１２】図１２は、室外熱交換器の風上列部を平面状に展開した概略の構成図であり、蒸発器として機能する際の冷媒の流れを表している。
【００２０】
【図１３】図１３は、室外熱交換器の風下列部を平面状に展開した概略の構成図であり、蒸発器として機能する際の冷媒の流れを表している。
【図１４】図１４は、蒸発器として機能する室外熱交換器における冷媒と空気の温度変化を示すグラフである。
【図１５】図１５は、実施形態２に係る室外熱交換器の図２に相当する図である。
【図１６】図１６は、実施形態２に係る室外熱交換器の図３に相当する図である。
【図１７】図１７は、実施形態２に係る室外熱交換器の図４に相当する図である。
【図１８】図１８は、実施形態２に係る室外熱交換器の図１２に相当する図である。
【図１９】図１９は、実施形態２に係る室外熱交換器の図１３に相当する図である。
【図２０】図２０は、凝縮器として機能する室外熱交換器の概略の上面図である。
【図２１】図２１は、その他の実施形態に係る室外熱交換器の図７に相当する図である。
【発明を実施するための形態】
【００２１】
本発明の実施形態を図面に基づいて詳細に説明する。なお、以下で説明する各形態は、本質的に好ましい例示であって、本発明、その適用物、あるいはその用途の範囲を制限することを意図するものではない。
【００２２】
《実施形態１》
本実施形態の熱交換器は、空気調和機（10）に設けられた室外熱交換器（23）である。以下では、先ず空気調和機（10）について説明し、その後に室外熱交換器（23）について詳細に説明する。
【００２３】
〈空気調和機の全体構成〉
空気調和機（10）について、図１を参照しながら説明する。
【００２４】
空気調和機（10）は、室外ユニット（11）および室内ユニット（12）を備えている。室外ユニット（11）と室内ユニット（12）は、液側連絡配管（13）およびガス側連絡配管（14）を介して互いに接続されている。空気調和機（10）では、室外ユニット（11）、室内ユニット（12）、液側連絡配管（13）およびガス側連絡配管（14）が接続されることで、冷媒回路（20）が形成されている。
【００２５】
冷媒回路（20）には、圧縮機（21）と、四方切換弁（22）と、室外熱交換器（23）と、膨張弁（24）と、室内熱交換器（25）とが設けられている。圧縮機（21）、四方切換弁（22）、室外熱交換器（23）、および膨張弁（24）は、室外ユニット（11）に収容されている。室外ユニット（11）には、室外熱交換器（23）へ室外空気を供給するための室外ファン（15）が設けられている。室内熱交換器（25）は、室内ユニット（12）に収容されている。室内ユニット（12）には、室内熱交換器（25）へ室内空気を供給するための室内ファン（16）が設けられている。
【００２６】
冷媒回路（20）は、冷媒が充填された閉回路である。冷媒回路（20）において、圧縮機（21）は、その吐出管が四方切換弁（22）の第１のポートに、その吸入管が四方切換弁（22）の第２のポートに、それぞれ接続されている。冷媒回路（20）では、四方切換弁（22）の第３のポートから第４のポートへ向かって順に、室外熱交換器（23）と、膨張弁（24）と、室内熱交換器（25）とが配置されている。この冷媒回路（20）において、室外熱交換器（23）は、配管（17）を介して膨張弁（24）に接続され、配管（18）を介して四方切換弁（22）の第３のポートに接続される。
【００２７】
圧縮機（21）は、スクロール型またはロータリ型の全密閉型圧縮機である。四方切換弁（22）は、第１のポートが第３のポートと連通し且つ第２のポートが第４のポートと連通する第１状態（図１に実線で示す状態）と、第１のポートが第４のポートと連通し且つ第２のポートが第３のポートと連通する第２状態（図１に破線で示す状態）とに切り換わる。膨張弁（24）は、いわゆる電子膨張弁である。
【００２８】
室外熱交換器（23）は、室外空気を冷媒と熱交換させる。室外熱交換器（23）については後述する。一方、室内熱交換器（25）は、室内空気を冷媒と熱交換させる。室内熱交換器（25）は、円管である伝熱管を備えたいわゆるクロスフィン型のフィン・アンド・チューブ熱交換器によって構成されている。
【００２９】
−空気調和機の運転動作−
空気調和機（10）は、冷房運転と暖房運転を選択的に行う。
【００３０】
冷房運転中の冷媒回路（20）では、四方切換弁（22）を第１状態に設定した状態で、冷凍サイクルが行われる。この状態では、室外熱交換器（23）、膨張弁（24）、室内熱交換器（25）の順に冷媒が循環し、室外熱交換器（23）が凝縮器として機能し、室内熱交換器（25）が蒸発器として機能する。室外熱交換器（23）では、圧縮機（21）から流入したガス冷媒が室外空気へ放熱して凝縮し、凝縮後の冷媒が膨張弁（24）へ向けて流出してゆく。
【００３１】
暖房運転中の冷媒回路（20）では、四方切換弁（22）を第２状態に設定した状態で、冷凍サイクルが行われる。この状態では、室内熱交換器（25）、膨張弁（24）、室外熱交換器（23）の順に冷媒が循環し、室内熱交換器（25）が凝縮器として機能し、室外熱交換器（23）が蒸発器として機能する。室外熱交換器（23）には、膨張弁（24）を通過する際に膨張して気液二相状態となった冷媒が流入する。室外熱交換器（23）へ流入した冷媒は、室外空気から吸熱して蒸発し、その後に圧縮機（21）へ向けて流出してゆく。
【００３２】
〈室外熱交換器の全体構成〉
実施形態１に係る室外熱交換器（23）について図２〜図１１を適宜参照しながら説明する。なお、以下の説明に示す扁平管（31,41）の本数は、単なる一例である。
【００３３】
図２に示すように、室外熱交換器（23）は、４つの側面部（23a,23b,23c,23d）を有する４面式の空気熱交換器である。具体的に、室外熱交換器（23）では、第１側面部（23a）、第２側面部（23b）、第３側面部（23c）、及び第４側面部（23d）が連続して形成される。第１側面部（23a）は図２の左下側に位置し、第２側面部（23b）は図２の左上側に位置し、第３側面部（23c）は図２の右上側に位置し、第４側面部（23d）は、図２の右下側に位置する。各側面部（23a,23b,23c,23d）の高さは概ね等しい。第１側面部（23a）及び第４側面部（23d）の各幅は、第２側面部（23b）及び第３側面部（23c）の幅より短い。
【００３４】
室外熱交換器（23）では、室外ファン（15）が運転されることで、各側面部（23a,23b,23c,23d）の外側の室外空気が、各側面部（23a,23b,23c,23d）の内側へと流れる（図２の矢印を参照）。この空気は、室外ケーシング（図示省略）の上部に形成された吹出口より排出される。
【００３５】
図２〜図４に示すように、室外熱交換器（23）は、扁平管（31,41）とフィン（32,42）とを有する２つの列部（30,40）を有する二列構造の熱交換器である。室外熱交換器（23）は、３つ以上の列部を有していてもよい。本実施形態の室外熱交換器（23）では、空気の通過方向の風上側の列部が風上列部（30）を構成し、風下側の列部が風下列部（40）を構成している。なお、図３及び図４では、風上列部（30）及び風下列部（40）をそれぞれ平面状に展開して模式的に表している。
【００３６】
室外熱交換器（23）は、第１ヘッダ集合管（50）、第２ヘッダ集合管（60）、第３ヘッダ集合管（70）、第４ヘッダ集合管（80）、第１分流ユニット（91）、及び第２分流ユニット（92）を有している。第１ヘッダ集合管（50）は、風上列部（30）のうち第１側面部（23a）側の一端部近傍に立設している。第２ヘッダ集合管（60）は、風上列部（30）のうち第４側面部（23d）側の他端部近傍に立設している。第３ヘッダ集合管（70）は、風下列部（40）のうち第１側面部（23a）側の一端部近傍に立設している。第４ヘッダ集合管（80）は、風下列部（40）のうち第４側面部（23d）側の他端部近傍に立設している。第１分流ユニット（91）は、第１ヘッダ集合管（50）の近傍に立設している。第２分流ユニット（92）は、第３ヘッダ集合管（70）の近傍に立設している。
【００３７】
扁平管（31,41）、フィン（32,42）、第１ヘッダ集合管（50）、第２ヘッダ集合管（60）、第３ヘッダ集合管（70）、第４ヘッダ集合管（80）、第１分流ユニット（91）、及び第２分流ユニット（92）は、何れもアルミニウム合金製の部材であって、互いにロウ付けによって接合されている。
【００３８】
〔風上列部〕
図２、図３、図５〜図１０に示すように、風上列部（30）は、多数の扁平管（31）と、多数のフィン（32）とを備えている。
【００３９】
扁平管（31）は、その軸直角断面の形状が扁平な略長円形となった伝熱管である（図７を参照）。複数の扁平管（31）は、上下の平坦な部分が対向する状態で配置される。つまり、複数の扁平管（31）は、互いに一定の間隔をおいて上下に並んで配列され、互いの筒軸が実質的に平行になっている。
【００４０】
図２に示すように、扁平管（31）は、第１側面部（23a）に沿った第１風上管部（31a）と、第２側面部（23b）に沿った第２風上管部（31b）と、第３側面部（23c）に沿った第３風上管部（31c）と、第４側面部（23d）に沿った第４風上管部（31d）とを有している。図２に示すように、扁平管（31）には、第１風上管部（31a）を第２風上管部（31b）に対して水平内向きに略直角に折り曲げる第１風上屈曲部（33a）と、第２風上管部（31b）に対して第３風上管部（31c）を水平内向きに略直角に折り曲げる第２風上屈曲部（33b）と、第３風上管部（31c）に対して第４風上管部（31d）を水平内向きに略直角に折り曲げる第３風上屈曲部（33c）とが設けられる。
【００４１】
各扁平管（31）は、第１風上管部（31a）の端部が第１ヘッダ集合管（50）に挿入され（図５を参照）、第４風上管部（31d）の端部が第２ヘッダ集合管（60）に挿入される（図６を参照）。
【００４２】
図７に示すように、各扁平管（31）には、複数の冷媒流路（C）が形成されている。複数の冷媒流路（C）は、扁平管（31）の筒軸方向に延びる通路であり、扁平管（31）の幅方向（空気の通過方向）に一列に並んでいる。各冷媒流路（C）は、扁平管（31）の両端面に開口している。風上列部（30）へ供給された冷媒は、扁平管（31）の冷媒流路（C）を流れる間に空気と熱交換する。風上列部（30）の各扁平管（31）の複数の冷媒流路（C）は、風上冷媒流路群（C1）を構成している。
【００４３】
図７に示すように、フィン（32）は、金属板をプレス加工することによって形成された縦長の板状フィンである。複数のフィン（32）は、扁平管（31）の軸方向に一定の間隔をおいて配列されている。フィン（32）には、フィン（32）の外縁（即ち、風上側の縁部）からフィン（32）の幅方向に延びる細長い切り欠き部（32a）が、多数形成されている。フィン（32）では、多数の切り欠き部（32a）がフィン（32）の長手方向（上下方向）に一定の間隔で形成されている。切り欠き部（32a）の風上寄りの部分は、管挿入部（32b）を構成している。扁平管（31）は、管挿入部（32b）に挿入され、管挿入部（32b）の周縁部とロウ付けによって接合される。また、フィン（32）には、伝熱を促進するためのルーバー（32c）が形成されている。
【００４４】
図３に示すように、風上列部（30）には、上下に２つの熱交換領域（35,37）が形成されている。上側の熱交換領域は、風上主熱交換領域（35）を構成し、下側の熱交換領域は、風上補助熱交換領域（37）を構成する。風上補助熱交換領域（37）に対応する扁平管（31）の本数は、風上主熱交換領域（35）を構成する扁平管（31）の本数よりも少ない。
【００４５】
風上主熱交換領域（35）は、上下に並ぶ６つの風上主熱交換部（36）に区分されている。風上補助熱交換領域（37）は、上下に並ぶ６つの風上補助熱交換部（38）に区分されている。つまり、風上主熱交換領域（35）と風上補助熱交換領域（37）は、それぞれ同数の熱交換部に区分されている。なお、風上主熱交換部（36）及び風上補助熱交換部（38）の数は単なる一例であり、複数であることが好ましい。
【００４６】
図３及び図６に示すように、各風上主熱交換部（36）には、同数（例えば６本）の扁平管（31）が設けられている。各風上主熱交換部（36）に設けられる扁平管（31）の数は単なる例示であり、複数本又は１本であってもよい。
【００４７】
図３及び図５に示すように、各風上補助熱交換部（38）には、同数（例えば２本）の扁平管（31）が設けられている。各風上補助熱交換部（38）に設けられる扁平管（31）の数は単なる例示であり、複数本又は１本であってもよい。
【００４８】
〔風下列部〕
図２、図４、図５〜図１０に示すように、風下列部（40）は、多数の扁平管（41）と、多数のフィン（42）とを備えている。
【００４９】
扁平管（41）は、その軸直角断面の形状が扁平な略長円形となった伝熱管である（図７を参照）。複数の扁平管（41）は、上下の平坦な部分が対向する状態で配置される。つまり、複数の扁平管（41）は、互いに一定の間隔をおいて上下に並んで配列され、互いの筒軸が実質的に平行になっている。
【００５０】
図２に示すように、扁平管（41）は、第１風上管部（31a）の内縁に沿った第１風下管部（41a）と、第２風上管部（31b）の内縁に沿った第２風下管部（41b）と、第３風上管部（31c）の内縁に沿った第３風下管部（41c）と、第４風上管部（31d）の内縁に沿った第４風下管部（41d）とを有している。扁平管（41）には、第１風下管部（41a）を第２風下管部（41b）に対して水平内向きに略直角に折り曲げる第１風下屈曲部（43a）と、第２風下管部（41b）に対して第３風下管部（41c）を水平内向きに略直角に折り曲げる第２風下屈曲部（43b）と、第３風下管部（41c）に対して第４風下管部（41d）を水平内向きに略直角に折り曲げる第３風下屈曲部（43c）とが設けられる。
【００５１】
各扁平管（41）は、第１風下管部（41a）の端部が第３ヘッダ集合管（70）に挿入され、第４風下管部（41d）の端部が第４ヘッダ集合管（80）に挿入される（図４を参照）。
【００５２】
図７〜図１０に示すように、各扁平管（41）には、複数の冷媒流路（C）が形成されている。複数の冷媒流路（C）は、扁平管（41）の筒軸方向に延びる通路であり、扁平管（41）の幅方向（空気の通過方向）に一列に並んでいる。各冷媒流路（C）は、扁平管（41）の両端面に開口している。風下列部（40）へ供給された冷媒は、扁平管（41）の冷媒流路（C）を流れる間に空気と熱交換する。風下列部（40）の各扁平管（41）の複数の冷媒流路（C）は、風下冷媒流路群（C2）を構成している。
【００５３】
図７に示すように、フィン（42）は、金属板をプレス加工することによって形成された縦長の板状フィンである。複数のフィン（42）は、扁平管（41）の軸方向に一定の間隔をおいて配列されている。フィン（42）には、フィン（42）の外縁（即ち、風上側の縁部）からフィン（42）の幅方向に延びる細長い切り欠き部（42a）が、多数形成されている。フィン（42）では、多数の切り欠き部（42a）がフィン（42）の長手方向（上下方向）に一定の間隔で形成されている。切り欠き部（42a）の風上寄りの部分は、管挿入部（42b）を構成している。扁平管（41）は、管挿入部（42b）に挿入され、管挿入部（42b）の周縁部とロウ付けによって接合される。また、フィン（42）には、伝熱を促進するためのルーバー（42c）が形成されている。
【００５４】
図４に示すように、風下列部（40）には、上下に２つの熱交換領域（45,47）が形成されている。上側の熱交換領域は、風下主熱交換領域（45）を構成し、下側の熱交換領域は、風下補助熱交換領域（47）を構成する。風下補助熱交換領域（47）に対応する扁平管（41）の本数は、風下主熱交換領域（45）を構成する扁平管（41）の本数よりも少ない。
【００５５】
風下主熱交換領域（45）は、上下に並ぶ６つの風下主熱交換部（46）に区分されている。風下補助熱交換領域（47）は、上下に並ぶ６つの風下補助熱交換部（48）に区分されている。つまり、風下主熱交換領域（45）と風下補助熱交換領域（47）は、それぞれ同数の熱交換部に区分されている。なお、風下主熱交換部（46）及び風下補助熱交換部（48）の数は単なる一例であり、複数であることが好ましい。
【００５６】
図４に示すように、各風下主熱交換部（46）には、同数（例えば６本）の扁平管（41）が設けられている。各風下主熱交換部（46）に設けられる扁平管（41）の数は単なる例示であり、複数本又は１本であってもよい。
【００５７】
図５及び図６に示すように、各風下補助熱交換部（48）には、同数（例えば２本）の扁平管（41）が設けられている。各風下補助熱交換部（48）に設けられる扁平管（41）の数は単なる例示であり、複数本又は１本であってもよい。
【００５８】
〔第３ヘッダ集合管〕
図２及び図４に示すように、第３ヘッダ集合管（70）は、上下の両端が閉塞された円筒状の部材である。第３ヘッダ集合管（70）の長さ（高さ）は、風上列部（30）及び風下列部（40）の高さと概ね一致している。
【００５９】
第３ヘッダ集合管（70）の内部構造は、図５に示す第１ヘッダ集合管（50）と同様である。即ち、図４に示すように、第３ヘッダ集合管（70）の内部空間は、主仕切板（71）によって上下に仕切られている。主仕切板（71）の上側の空間は、風下主熱交換領域（45）に対応する風下上側空間（72）である。主仕切板（81）の下側の空間は、風下補助熱交換領域（47）に対応する風下下側空間（73）である。風下上側空間（72）の上下方向の中間部には、１本の第２主ガス管（72a）の一端が接続される。第２主ガス管（72a）の他端は、ガス側連絡配管（14）と連通している。
【００６０】
風下下側空間（73）は、上下に等間隔置きに並んだ５枚の仕切板（74）によって６つ風下補助空間（75）に仕切られている。これらの６つの風下補助空間（75）は、６つの風下補助熱交換部（48）にそれぞれ１つずつ対応している。各風下補助空間（75）には、例えば２本の扁平管（41）の第１風下管部（41a）がそれぞれ連通している。
【００６１】
〔第４ヘッダ集合管〕
図２、図４、図８〜図１０に示すように、第４ヘッダ集合管（80）は、上下の両端が閉塞された円筒状の部材である。第４ヘッダ集合管（80）の長さ（高さ）は、風上列部（30）及び風下列部（40）の高さと概ね一致している。
【００６２】
第４ヘッダ集合管（80）の内部構造は、図６に示す第２ヘッダ集合管（60）と同様である。即ち、図４に示すように、第４ヘッダ集合管（80）の内部空間は、主仕切板（81）によって上下に仕切られている。主仕切板（81）の上側の空間は、風下主熱交換領域（45）に対応する風下上側空間（82）である。主仕切板（81）の下側の空間は、風下補助熱交換領域（47）に対応する風下下側空間（83）である。
【００６３】
風下上側空間（82）は、上下に等間隔置きに並んだ５枚の仕切板（84）によって６つの風下主連絡空間（85）に仕切られている。これらの６つの風下主連絡空間（85）は、６つの風下主熱交換部（46）にそれぞれ１つずつ対応している。風下主連絡空間（85）には、例えば６本の扁平管（41）の第１風下管部（41a）がそれぞれ連通している。
【００６４】
風下下側空間（83）は、上下に等間隔置きに並んだ５枚の仕切板（86）によって６つの風下補助連絡空間（87）に仕切られている。これらの６つの風下補助連絡空間（87）は、６つの風下補助熱交換部（48）にそれぞれ１つずつ対応している。各風下補助連絡空間（87）には、例えば２本の扁平管（41）の各第４風下管部（41d）がそれぞれ連通している。
【００６５】
第４ヘッダ集合管（80）には、６つの風下連絡管（88）が接続されている。風下連絡管（88）は、風下列部（40）の風下主熱交換領域（45）の扁平管（41）の端部と風下補助熱交換領域（47）の扁平管（41）の端部とを繋いでいる。
【００６６】
具体的には、第１の風下連絡管（88）は、最上段の風下補助連絡空間（87）と最下段の風下主連絡空間（85）とを接続し、第２の風下連絡管（88）は、上から２段目の風下補助連絡空間（87）と下から２段目の風下主連絡空間（85）とを接続し、第３の風下連絡管（88）は、上から３段目の風下補助連絡空間（87）と下から３段目の風下主連絡空間（85）とを接続している。第４の風下連絡管（88）は、上から４段目の風下補助連絡空間（87）と下から４段目の風下主連絡空間（85）とを接続し、第５の風下連絡管（88）は、上から５段目の風下補助連絡空間（87）と下から５段目の風下主連絡空間（85）とを接続し、第６の風下連絡管（88）は、最下段の風下補助連絡空間（87）と最上段の風下主連絡空間（85）とを接続している。
【００６７】
〔第１分流ユニット〕
図２及び図３に示すように、第１分流ユニット（91）は、第１ヘッダ集合管（50）に取り付けられている。第１分流ユニット（91）は、円筒部（91a）と、６本の液側接続管（91b）と、１本の第１主液管（91c）とを有している。
【００６８】
円筒部（91a）は、第１ヘッダ集合管（50）よりも低い円筒状に形成され、第１ヘッダ集合管（50）の下部に沿って起立している。６本の液側接続管（91b）は、上下に配列されて円筒部（91a）に接続されている。各液側接続管（91b）の本数は、風上補助連絡空間（67）の数と同数（本例では６つ）である。各液側接続管（91b）は、各風上補助連絡空間（67）とそれぞれ連通している。第１主液管（91c）の一端は、円筒部（91a）の下部に接続されている。第１主液管（91c）と各液側接続管（91b）とは、円筒部（91a）の内部空間を介して連通している。
【００６９】
〔第２分流ユニット〕
図２及び図４に示すように、第２分流ユニット（92）は、第３ヘッダ集合管（70）に取り付けられている。第２分流ユニット（92）は、円筒部（92a）と、６本の液側接続管（92b）と、１本の第２主液管（92c）とを有している。
【００７０】
円筒部（92a）は、第３ヘッダ集合管（70）よりも低い円筒状に形成され、第３ヘッダ集合管（70）の下部に沿って起立している。６本の液側接続管（92b）は、上下に配列されて円筒部（92a）に接続されている。各液側接続管（92b）の本数は、風下補助空間（75）の数と同数（本例では６つ）である。各液側接続管（92b）は、各風下補助空間（75）とそれぞれ連通している。第２主液管（92c）の一端は、円筒部（92a）の下部に接続されている。第２主液管（92c）と各液側接続管（92b）とは、円筒部（92a）の内部空間を介して連通している。
【００７１】
〔液分岐管〕
図２に模式的に示すように、第１分流ユニット（91）の第１主液管（91c）と第２分流ユニット（92）の第２主液管（92c）とには、液分岐管（28）が接続されている。液分岐管（28）は、二手に分岐し、各分流ユニット（91,92）及び各補助空間（55,75）と連通している。つまり、液分岐管（28）は、風上列部（30）の各扁平管（31）の他端部（第１風上管部（31a））と、風下列部（40）の各扁平管（41）の他端部（第１風下管部（41a））に分岐して連通している。
【００７２】
〔ガス分岐管〕
図２に模式的に示すように、風上列部（30）の第１主ガス管（52a）と風下列部（40）の第２主ガス管（72a）とには、ガス分岐管（29）が接続されている。ガス分岐管（29）は、二手に分岐し、風上上側空間（52）及び風下上側空間（72）と連通している。つまり、ガス分岐管（29）は、風上列部（30）の他端部（第１風上管部（31a））と、風下列部（40）の他端部（第１風下管部（41a））に分岐するように連通している。
【００７３】
−室外熱交換器の冷媒流れについて−
室外熱交換器（23）は、凝縮器及び蒸発器として機能する際、風上列部（30）の各扁平管（31）を流れる冷媒と、風下列部（40）の各扁平管（41）を流れる冷媒とが並行になるように構成される。具体的に、凝縮器及び蒸発器として機能する室外熱交換器（23）は、風上列部（30）の風上主熱交換領域（35）の扁平管（31）と、風下列部（40）の風下主熱交換領域（45）の扁平管（41）とで冷媒が並行に流れ、且つ風上列部（30）の風下補助熱交換領域（47）の扁平管（31）と、風下列部（40）の風下補助熱交換領域（47）の扁平管（41）とで冷媒が並行に流れるように構成される。つまり、凝縮器及び蒸発器として機能する室外熱交換器（23）は、風上主熱交換領域（35）の風上冷媒流路群（C1）を流れる冷媒と、風下主熱交換領域（45）の風下冷媒流路群（C2）を流れる冷媒とが互いに並行に流れるように構成される。
【００７４】
更に室外熱交換器（23）は、凝縮器及び蒸発器として機能する際、風上列部（30）の各扁平管（31）を流れる冷媒と、風下列部（40）の各扁平管（41）を流れる冷媒とが互いに同じ方向となるように構成される。具体的に、凝縮器及び蒸発器として機能する室外熱交換器（23）は、風上列部（30）の風上主熱交換領域（35）の扁平管（31）と、風下列部（40）の風下補助熱交換領域（47）の扁平管（41）とで冷媒が互いに同一方向に流れる。つまり、凝縮器及び蒸発器として機能する室外熱交換器（23）は、風上主熱交換領域（35）の風上冷媒流路群（C1）を流れる冷媒と、風下主熱交換領域（45）の風下冷媒流路群（C2）を流れる冷媒とが互いに同一方向に流れる。
【００７５】
〔凝縮器の場合の冷媒の流れ〕
空気調和機（10）の冷房運転中には、室内熱交換器（25）が蒸発器として機能し、室外熱交換器（23）が凝縮器として機能する。ここでは、冷房運転中における室外熱交換器（23）での冷媒の流れを説明する。
【００７６】
室外熱交換器（23）には、圧縮機（21）から吐出されたガス冷媒が、ガス分岐管（29）に流入し、第１主ガス管（52a）と第２主ガス管（72a）とに分流する。
【００７７】
図３に示すように、第１主ガス管（52a）へ供給された冷媒は、第１ヘッダ集合管（50）の風上上側空間（52）に流入し、各風上主熱交換部（36）に分配される。各風上主熱交換部（36）の各扁平管（31）の各風上冷媒流路群（C1）を通過する各冷媒は、空気へ放熱して凝縮していく。その後、各冷媒は、第２ヘッダ集合管（60）の各風上主連絡空間（65）へ供給され、各風上連絡管（68）に流入する。各風上連絡管（68）を流れた各冷媒は、第２ヘッダ集合管（60）の各風上補助連絡空間（67）へ供給され、各風上補助熱交換部（38）に分配される。各風上補助熱交換部（38）の各扁平管（31）の各風上冷媒流路群（C1）を通過する各冷媒は、空気へ更に放熱して凝縮し、過冷却状態（即ち、液単相状態）となる。
【００７８】
過冷却状態となった液冷媒は、第１ヘッダ集合管（50）の各風上補助空間（55）へ供給され、第１分流ユニット（91）で合流し、第１主液管（91c）を流れる。
【００７９】
図４に示すように、第２主ガス管（72a）へ供給された冷媒は、第３ヘッダ集合管（70）の風下上側空間（72）に流入し、風下主熱交換部（46）に分配される。各風下主熱交換部（46）の各扁平管（41）の各風下冷媒流路群（C2）を通過する各冷媒は、空気へ放熱して凝縮していく。その後、各冷媒は、第４ヘッダ集合管（80）の各風下主連絡空間（85）へ供給され、各風下連絡管（88）に流入する。各風下連絡管（88）を流れた各冷媒は、第４ヘッダ集合管（80）の各風下補助連絡空間（87）へ供給され、各風下補助熱交換部（48）に分配される。各風下補助熱交換部（48）の各扁平管（41）の各風下冷媒流路群（C2）を通過する各冷媒は、空気へ更に放熱して凝縮し、過冷却状態（即ち、液単相状態）となる。
【００８０】
過冷却状態となった液冷媒は、第３ヘッダ集合管（70）の各風下補助空間（75）へ供給され、第２分流ユニット（92）で合流し、第２主液管（92c）を流れる。
【００８１】
第１主液管（91c）を流れる冷媒と、第２主液管（92c）を流れる冷媒とは、液分岐管（28）で合流し、液側連絡配管（13）へ送られる。
【００８２】
〔凝縮器の場合の冷媒と空気の温度変化〕
凝縮器として機能する室外熱交換器（23）における空気と冷媒の温度変化の一例を、図１１に示す。
【００８３】
風上主熱交換領域（35）の扁平管（31）には、７０℃の過熱状態のガス冷媒が流入する。この冷媒は、風上主熱交換領域（35）の扁平管（31）の風上冷媒流路群（C1）の途中で５０℃の飽和状態のガス冷媒となり、その後に次第に凝縮してゆく。風上主熱交換領域（35）から流出した冷媒は、風上補助熱交換領域（37）の扁平管（31）に流入する。この冷媒は、風上補助熱交換領域（37）の扁平管（31）の風上冷媒流路群（C1）で液単相状態の飽和冷媒（飽和温度５０℃）となり、その後、更に放熱して過冷却状態（例えば４２℃）となる。
【００８４】
風下主熱交換領域（45）の扁平管（41）には、７０℃の過熱状態のガス冷媒が流入する。この冷媒は、風下主熱交換領域（45）の扁平管（41）の風下冷媒流路群（C2）の途中で５０℃の飽和状態のガス冷媒となり、その後に次第に凝縮してゆく。風下主熱交換領域（45）から流出した冷媒は、風下補助熱交換領域（47）の扁平管（41）に流入する。この冷媒は、風下補助熱交換領域（47）の扁平管（41）の風下冷媒流路群（C2）で液単相状態の飽和冷媒（飽和温度５０℃）となり、その後、更に放熱して過冷却状態（例えば４７℃）となる。
【００８５】
一方、風上主熱交換領域（35）と風下補助熱交換領域（37）には、例えば３５℃の空気が流入する。風下主熱交換領域（45）には、風上主熱交換領域（35）で加熱された４５℃の空気が流入し、風下補助熱交換領域（37）には、風上補助熱交換領域（35）を通過する際に加熱された４０℃の空気が流入する。
【００８６】
このように、室外熱交換器（23）が凝縮器として機能する場合、室外熱交換器（23）の全体において冷媒の温度が空気の温度よりも高くなり、冷媒が空気へ放出する熱量（即ち、冷媒の放熱量）が確保される。
【００８７】
〔蒸発器の場合の冷媒の流れ〕
空気調和機（10）の暖房運転中には、室内熱交換器（25）が凝縮器として機能し、室外熱交換器（23）が蒸発器として機能する。ここでは、暖房運転中における室外熱交換器（23）での冷媒の流れを説明する。
【００８８】
室外熱交換器（23）には、膨張弁（24）を通過する際に膨張して気液二相状態となった冷媒が、配管（17）を通じて供給される。この冷媒は、液分岐管（28）に流入し、第１主液管（91c）と第２主液管（92c）とに分流する。
【００８９】
図１２に示すように、第１分流ユニット（91）に供給された冷媒は、各液側接続管（91b）に分流し、第１ヘッダ集合管（50）の各風上補助空間（55）より各風上補助熱交換部（38）へ分配される。各風上補助熱交換部（38）の各扁平管（31）の各風上冷媒流路群（C1）を通過する各冷媒は、空気から吸熱して蒸発していく。その後、各冷媒は、第２ヘッダ集合管（60）の各風上補助連絡空間（67）へ供給され、各風上連絡管（68）に流入する。各風上連絡管（68）を流れた各冷媒は、第２ヘッダ集合管（60）の各風上主連絡空間（65）へ供給され、各風上主熱交換部（36）に分配される。各風上主熱交換部（36）の各扁平管（31）の各風上冷媒流路群（C1）を通過する各冷媒は、空気から更に吸熱して蒸発し、過熱状態（即ち、ガス単相状態）となる。
【００９０】
過熱状態となったガス冷媒は、第１ヘッダ集合管（50）の風上上側空間（52）で合流し、第１主ガス管（52a）よりガス側連絡配管（14）へ送られる。
【００９１】
図１３に示すように、第２分流ユニット（92）に供給された冷媒は、各液側接続管（92b）に分流し、第３ヘッダ集合管（70）の各風下補助空間（75）より各風下補助熱交換部（48）へ分配される。各風下補助熱交換部（48）の各扁平管（41）の各風下冷媒流路群（C2）を通過する各冷媒は、空気から吸熱して蒸発していく。その後、各冷媒は、第４ヘッダ集合管（80）の各風下補助連絡空間（87）へ供給され、各風下連絡管（88）に流入する。各風下連絡管（88）を流れた各冷媒は、第４ヘッダ集合管（80）の各風下主連絡空間（85）へ供給され、各風下主熱交換部（46）に分配される。各風下主熱交換部（46）の各扁平管（41）の各風下冷媒流路群（C2）を通過する各冷媒は、空気から更に吸熱して蒸発し、過熱状態（即ち、ガス単相状態）となる。
【００９２】
過熱状態となったガス冷媒は、第３ヘッダ集合管（70）の風下上側空間（72）で合流し、第２主ガス管（72a）を流れる。
【００９３】
第１主ガス管（52a）を流れる冷媒と、第２主ガス管（72a）を流れる冷媒とは、ガス分岐管（29）で合流し、ガス側連絡配管（14）へ送られる。
【００９４】
〔蒸発器の場合の冷媒と空気の温度変化〕
蒸発器として機能する室外熱交換器（23）における空気と冷媒の温度変化の一例を、図１４を参照しながら説明する。
【００９５】
風上補助熱交換領域（37）の扁平管（31）には、飽和温度１．５℃の気液二相状態の冷媒が流入する。風上補助熱交換領域（37）の扁平管（31）では、冷媒が風上冷媒流路群（C1）を通過する際の圧力損失に起因して、冷媒の飽和温度が約０．５℃まで次第に低下する。
【００９６】
風上補助熱交換領域（37）から流出した気液二相状態の冷媒は、風上主熱交換領域（35）の扁平管（41）に流入する。風上主熱交換領域（35）の扁平管（31）では、冷媒が風上冷媒流路群（C1）を通過する際の圧力損失に起因して、冷媒の飽和温度が更に低下する（例えば０℃）。この冷媒は、風上主熱交換領域（35）の扁平管（31）の途中でガス単相状態となり、その温度が１℃まで上昇した後、風上主熱交換領域（35）の扁平管（31）から流出する。
【００９７】
風下補助熱交換領域（47）の扁平管（41）には、飽和温度１．５℃の気液二相状態の冷媒が流入する。風下補助熱交換領域（47）の扁平管（41）では、冷媒が風下冷媒流路群（C2）を通過する際の圧力損失に起因して、冷媒の飽和温度が約０．５℃まで次第に低下する。
【００９８】
風下補助熱交換領域（47）の扁平管（41）には、飽和温度１．５℃の気液二相状態の冷媒が流入する。風下補助熱交換領域（47）の扁平管（41）では、冷媒が風下冷媒流路群（C2）を通過する際の圧力損失に起因して、冷媒の飽和温度が約０．５℃まで次第に低下する。
【００９９】
風下補助熱交換領域（47）から流出した気液二相状態の冷媒は、風下主熱交換領域（45）の扁平管（41）に流入する。風下主熱交換領域（45）の扁平管（41）では、冷媒が風下冷媒流路群（C2）を通過する際の圧力損失に起因して、冷媒の飽和温度が更に低下する（例えば約０℃）。この冷媒は、風下主熱交換領域（45）の扁平管（41）の途中でガス単相状態となり、その温度が１℃まで上昇した後、風下主熱交換領域（45）の扁平管（41）から流出する。
【０１００】
一方、風上補助熱交換領域（37）と風上主熱交換領域（35）とには、例えば７℃の空気が流入する。また、風下補助熱交換領域（47）には、風上補助熱交換領域（37）を通過する際に冷却された３℃の空気が流入し、風下主熱交換領域（45）には、風上主熱交換領域（35）を通過する際に冷却された２℃の空気が流入する。
【０１０１】
このように、室外熱交換器（23）が蒸発器として機能する場合は、室外熱交換器（23）の全体において冷媒の温度が空気の温度よりも低くなり、冷媒が空気から吸収する熱量（即ち、冷媒の吸熱量）が確保される。
【０１０２】
〔圧力損失の低減効果〕
以上のように、本実施形態では、室外熱交換器（23）が凝縮器として機能する場合と、蒸発器として機能する場合との双方において、冷媒が風上冷媒流路群（C1）と風下冷媒流路群（C2）とを並行に流れる。
【０１０３】
例えば冷媒が２つの冷媒流路群（C1,C2）を直列に流れる構成（比較例）では、各扁平管（31,41）を流れる冷媒の流速は、本実施形態の２倍となり、冷媒流路（C）の全長も２倍となる。冷媒流路（C）の圧力損失は、流速の２乗に比例し、冷媒流路の全長に比例する。従って、比較例の冷媒流路（C）の圧力損失は、本実施形態の概ね８倍（＝２×２２)となる。即ち、本実施形態では、風上列部（30）の冷媒流路群（C1）と風上列部（40）の冷媒流路群（C2）とにそれぞれ冷媒を並列に流すことで、比較例と比べて冷媒流路（C）の圧力損失を１／８まで低減できる。
【０１０４】
このようにして冷媒の圧力損失を低減できると、例えば蒸発器の室外熱交換器（23）において、冷媒の圧力の低下を防止できる。即ち、蒸発器の室外熱交換器（23）では、圧力損失に起因する冷媒の圧力の低下量を低減できるため、室外熱交換器（23）の入口と出口の圧力差（即ち、圧縮機（21）の吸入圧力と、室外熱交換器（23）の流入冷媒の圧力の差）を小さくできる。この結果、圧縮機（21）の吸入圧力を所定値とした場合、比較例と比べて室外熱交換器（23）に流入する冷媒の蒸発圧力、ひいては蒸発温度を低減できる。これにより、室外熱交換器（23）では、風上列部（30）の冷媒流路群（C1）を流れる冷媒と、風上列部（30）を通過する空気の温度の差を増大でき、室外熱交換器（23）の蒸発能力を向上できる。
【０１０５】
−実施形態１の効果−
実施形態１では、以下の作用及び効果を奏することができる。
【０１０６】
各列部（30,40）の扁平管（31,41）において冷媒を並行に流すようにしたので、各扁平管（31,41）の冷媒流路（C）を流れる冷媒の圧力損失を大幅に低減できる。この結果、圧力損失の増大に起因する動力の増大を抑制しつつ、所望の熱交換効率を得ることができる。
【０１０７】
扁平管（31,41）を幅方向に長くする必要がないので、各列部（30,40）の扁平管（31,41）の曲げ加工も容易となる。これにより、各列部（30,40）の扁平管（31,41）を折り曲げて、４面式の熱交換器を製造でき、熱交換器のコンパクト化を図ることができる。
【０１０８】
図２に示すように、各列部（30,40）に冷媒を並行に流すための液分岐管（28）やガス分岐管（29）を集約して配置できる。これにより、配管のスペースをコンパクト化、あるいは配管の据え付けの容易化を図ることができる。
【０１０９】
また、各扁平管（31,41）の幅が短くなることで、各列部（30,40）の扁平管（31,41）の間の通風抵抗を低減でき、熱透過率の減少を抑制できる。更に、扁平管（31,41）の幅が狭くなることで、扁平管（31,41）の上側に結露水が滞ることを防止できる。この結果、扁平管（31,41）の表面での着霜を防止できる。
【０１１０】
《実施形態２》
実施形態２の空気調和機（10）は、実施形態１と室外熱交換器（23）の構成が異なる。実施形態２の室外熱交換器（23）において、風上列部（30）の構成は実施形態１と同様である。以下には、実施形態１と異なる点について図１５〜図２０を参照しながら説明する。
【０１１１】
実施形態２では、第３ヘッダ集合管（70）が、風下列部（40）のうち第４側面部（23d）側の一端部近傍に立設している。第４ヘッダ集合管（80）は、風下列部（40）のうち第１側面部（23a）側の他端部近傍に立設している。つまり、実施形態２は、実施形態１と第３ヘッダ集合管（70）と第４ヘッダ集合管（80）の位置が、扁平管（31,41）の長手方向において全く反対の位置関係となっている。第３ヘッダ集合管（70）の近傍には、実施形態１と同様、第２分流ユニット（92）の近傍に立設している。
【０１１２】
第１主ガス管（52a）及び第２主ガス管（72a）は、分岐管（図示省略）を介してガス側連絡配管（14）と連通している。第１主液管（91c）及び第２主液管（92c）は、分岐管（図示省略）を介して液側連絡配管（13）と連通している。
【０１１３】
−室外熱交換器の冷媒流れについて−
図１６〜図１９に示すように、室外熱交換器（23）は、凝縮器及び蒸発器として機能する際、風上列部（30）の各扁平管（31）を流れる冷媒と、風下列部（40）の各扁平管（41）を流れる冷媒とが並行になるように構成される。具体的に、凝縮器及び蒸発器として機能する室外熱交換器（23）は、風上列部（30）の風上主熱交換領域（35）の扁平管（31）と、風下列部（40）の風下主熱交換領域（45）の扁平管（41）とで冷媒が並行に流れ、且つ風上列部（30）の風下補助熱交換領域（47）の扁平管（31）と、風下列部（40）の風下補助熱交換領域（47）の扁平管（41）とで冷媒が並行に流れるように構成される。つまり、凝縮器及び蒸発器として機能する室外熱交換器（23）は、風上主熱交換領域（35）の風上冷媒流路群（C1）を流れる冷媒と、風下主熱交換領域（45）の風下冷媒流路群（C2）を流れる冷媒とが互いに並行に流れるように構成される。
【０１１４】
更に室外熱交換器（23）は、凝縮器及び蒸発器として機能する際、風上列部（30）の各扁平管（31）を流れる冷媒と、風下列部（40）の各扁平管（41）を流れる冷媒とが互いに逆方向となるように構成される。具体的に、凝縮器及び蒸発器として機能する室外熱交換器（23）は、風上列部（30）の風上主熱交換領域（35）の扁平管（31）と、風下列部（40）の風下補助熱交換領域（47）の扁平管（41）とで冷媒が互いに逆方向に流れる。つまり、凝縮器及び蒸発器として機能する室外熱交換器（23）は、風上主熱交換領域（35）の風上冷媒流路群（C1）を流れる冷媒と、風下主熱交換領域（45）の風下冷媒流路群（C2）を流れる冷媒とが互いに逆方向に流れる。
【０１１５】
〔凝縮器の場合〕
空気調和機（10）の冷房運転中には、室内熱交換器（25）が蒸発器として機能し、室外熱交換器（23）が凝縮器として機能する。ここでは、冷房運転中における室外熱交換器（23）での冷媒の流れを説明する。
【０１１６】
室外熱交換器（23）には、圧縮機（21）から吐出されたガス冷媒が、配管（18）を通じて供給される。この冷媒は、配管（18）から第１主ガス管（52a）と第２主ガス管（82a）とに分流する。
【０１１７】
図１６に示すように、第１主ガス管（52a）へ供給された冷媒は、第１ヘッダ集合管（50）の風上上側空間（52）に流入し、各風上主熱交換部（36）に分配される。各風上主熱交換部（36）の各扁平管（31）の各風上冷媒流路群（C1）を通過する各冷媒は、空気へ放熱して凝縮していく。その後、各冷媒は、第２ヘッダ集合管（60）の各風上主連絡空間（65）へ供給され、各風上連絡管（68）に流入する。各風上連絡管（68）を流れた各冷媒は、第２ヘッダ集合管（60）の各風上補助連絡空間（67）へ供給され、各風上補助熱交換部（38）に分配される。各風上補助熱交換部（38）の各扁平管（31）の各風上冷媒流路群（C1）を通過する各冷媒は、空気へ更に放熱して凝縮し、過冷却状態（即ち、液単相状態）となる。
【０１１８】
過冷却状態となった液冷媒は、第１ヘッダ集合管（50）の各風上補助空間（55）へ供給され、第１分流ユニット（91）で合流し、第１主液管（91c）より液側連絡配管（13）へ送られる。
【０１１９】
図１７に示すように、配管（18）から第２主ガス管（72a）へ供給された冷媒は、第３ヘッダ集合管（70）の風下上側空間（72）に流入し、風下主熱交換部（46）に分配される。各風下主熱交換部（46）の各扁平管（41）の各風下冷媒流路群（C2）を通過する各冷媒は、空気へ放熱して凝縮していく。その後、各冷媒は、第４ヘッダ集合管（80）の各風下主連絡空間（85）へ供給され、各風下連絡管（88）に流入する。各風下連絡管（88）を流れた各冷媒は、第４ヘッダ集合管（80）の各風下補助連絡空間（87）へ供給され、各風下補助熱交換部（48）に分配される。各風下補助熱交換部（48）の各扁平管（41）の各風下冷媒流路群（C2）を通過する各冷媒は、空気へ更に放熱して凝縮し、過冷却状態（即ち、液単相状態）となる。
【０１２０】
過冷却状態となった液冷媒は、第３ヘッダ集合管（70）の各風下補助空間（75）へ供給され、第２分流ユニット（92）で合流し、第１分流ユニット（91）から流出した冷媒とともに液側連絡配管（13）へ送られる。
【０１２１】
〔蒸発器の場合〕
空気調和機（10）の暖房運転中には、室内熱交換器（25）が凝縮器として機能し、室外熱交換器（23）が蒸発器として機能する。ここでは、暖房運転中における室外熱交換器（23）での冷媒の流れを説明する。
【０１２２】
室外熱交換器（23）には、膨張弁（24）を通過する際に膨張して気液二相状態となった冷媒が、配管（17）を通じて供給される。この冷媒は、配管（17）から第１分流ユニット（91）と第２分流ユニット（92）とに分流する。
【０１２３】
図１８に示すように、第１分流ユニット（91）に供給された冷媒は、各液側接続管（91b）に分流し、第１ヘッダ集合管（50）の各風上補助空間（55）より各風上補助熱交換部（38）へ分配される。各風上補助熱交換部（38）の各扁平管（31）の各風上冷媒流路群（C1）を通過する各冷媒は、空気から吸熱して蒸発していく。その後、各冷媒は、第２ヘッダ集合管（60）の各風上補助連絡空間（67）へ供給され、各風上連絡管（68）に流入する。各風上連絡管（68）を流れた各冷媒は、第２ヘッダ集合管（60）の各風上主連絡空間（65）へ供給され、各風上主熱交換部（36）に分配される。各風上主熱交換部（36）の各扁平管（31）の各風上冷媒流路群（C1）を通過する各冷媒は、空気から更に吸熱して蒸発し、過熱状態（即ち、ガス単相状態）となる。
【０１２４】
過熱状態となったガス冷媒は、第１ヘッダ集合管（50）の風上上側空間（52）で合流し、第１主ガス管（52a）よりガス側連絡配管（14）へ送られる。
【０１２５】
図１９に示すように、第２分流ユニット（92）に供給された冷媒は、各液側接続管（92b）に分流し、第３ヘッダ集合管（70）の各風下補助空間（75）より各風下補助熱交換部（48）へ分配される。各風下補助熱交換部（48）の各扁平管（41）の各風下冷媒流路群（C2）を通過する各冷媒は、空気から吸熱して蒸発していく。その後、各冷媒は、第４ヘッダ集合管（80）の各風下補助連絡空間（87）へ供給され、各風下連絡管（88）に流入する。各風下連絡管（88）を流れた各冷媒は、第４ヘッダ集合管（80）の各風下主連絡空間（85）へ供給され、各風下主熱交換部（46）に分配される。各風下主熱交換部（46）の各扁平管（41）の各風下冷媒流路群（C2）を通過する各冷媒は、空気から更に吸熱して蒸発し、過熱状態（即ち、ガス単相状態）となる。
【０１２６】
過熱状態となったガス冷媒は、第３ヘッダ集合管（70）の風下上側空間（72）で合流し、第１主ガス管（52a）から流出した冷媒とともにガス側連絡配管（14）へ送られる。
【０１２７】
〈空気の偏流の抑制対策について〉
ところで、室外熱交換器（23）が蒸発器として機能する際には、従来においては、室外熱交換器（23）を流れる空気が偏流し易いという問題があった。具体的に、室外熱交換器（23）において、２つの列部（30,40）にそれぞれ冷媒流路群（C1,C2）を形成し、これらの冷媒流路群（C1,C2）に並行に冷媒を流すとする。ここで、各冷媒流路群（C1,C2）において、気液二相状態の冷媒は、空気の冷却に用いられる。このため、空気中の水分が凝縮し、扁平管（31,41）やフィン（32,42）の表面に着霜することがある。
【０１２８】
一方、各冷媒流路群（C1,C2）において、気液二相状態の冷媒が更に蒸発すると、過熱状態となって温度が上昇する。従って、各扁平管（31,41）において、過熱状態の冷媒が流れる部分では、空気中の水分が結露しにくく、各扁平管（31,41）やフィン（32,42）の表面で着霜もほぼ生じない。
【０１２９】
このような理由から、隣り合う冷媒流路群（C1,C2）において、液状態ないし気液二相状態の冷媒が流れる部分と、過熱状態の冷媒が流れる部分とが、空気の通過方向に重なると、室外熱交換器（23）を流れる空気が偏流し易くなる、という問題が生じる。
【０１３０】
具体的には、隣り合う冷媒流路群（C1,C2）において、例えば液状態ないし気液二相状態の冷媒が流れる部分が空気の通過方向に重なると、この部分に対応する各扁平管（31,41）及び各フィン（32,42）の表面では、上述したように着霜が生じ易くなる。特に、扁平管（31,41）では、その表面に結露した水分が留まりやすいため、着霜量が大きくなる傾向になる。このような状態では、風上列部（30）と風下列部（40）の双方の扁平管（31,41）やフィン（32,42）で連続的に着霜が発生するため、この部分の通風抵抗が大きくなり易い。
【０１３１】
一方、隣り合う冷媒流路群（C1,C2）において、過熱領域の冷媒が流れる部分が空気の通過方向に重なると、この部分に対応する各扁平管（31,41）や各フィン（32,42）の表面では、着霜がほとんど生じない。従って、このような状態では、２列に重なった過熱領域に対応する部分の通風抵抗が、他の部分よりも小さくなり、この部分に空気が偏流し易くなるという問題が生じる。
【０１３２】
このようにして、空気の偏流が生じると、室外熱交換器（23）全体の扁平管（31,41）及びフィン（32,42）を冷媒と空気との伝熱に有効に利用できず、熱交換効率の低下を招いてしまう。そこで、本実施形態では、このような空気の偏流を防止するために、各列部（30,40）の過熱領域（S1,S2）が空気の通過方向に重ならないようしている。
【０１３３】
即ち、図１９〜図２１に示すように、室外熱交換器（23）では、上述のように、風上冷媒流路群（C1）を流れる冷媒と、風下冷媒流路群（C2）を流れる冷媒とが互いに逆方向になっている。このため、風上列部（30）の過熱領域（S1）は、扁平管（31）の第１風上管部（31a）の端部近傍に形成され、風下列部（40）の過熱領域（S2）は、扁平管（41）の第４風下管部（41d）の端部近傍に形成される。つまり、過熱領域（S1）と過熱領域（S2）とは、各扁平管（31,41）の長手方向において最も遠くに位置している。従って、過熱領域（S1）と過熱領域（S2）とが、空気の通過方向に重なることを確実に防止でき、ひいては上述した空気の偏流を防止できる。
【０１３４】
室外熱交換器（23）では、過熱領域（S1）と過熱領域（S2）とを空気の通過方向に重ならないようにするために、扁平管（31,41）の本数やサイズ、各冷媒流路（C）の数やサイズ、冷媒循環量、空気の風量等の各種のパラメータが設計されている。
【０１３５】
−実施形態２の効果−
実施形態２においても、実施形態１と同様にして、冷媒の圧力損失を低減できる。
【０１３６】
図１８〜図２０に示すように、室外熱交換器（23）が蒸発器として機能する際、冷媒の過熱領域（S1,S2）が重なることを防止できる。これにより、過熱領域（S1,S2）ばかりに空気が偏流してしまうことを抑制できる。この結果、過熱領域（S1,S2）以外の部分の扁平管（31,41）やフィン（32,42）の表面で着霜が生じたとしても、熱交換器の全域に空気を均一に流しやすくなり、熱交換効率、ひいては蒸発性能の向上を図ることができる。
【０１３７】
《その他の実施形態》
本開示の各種の形態では、以下のような構成としてもよい。
【０１３８】
室外熱交換器（23）では、隣り合うヘッダ集合管（50,70）、（60,80）がそれぞれ別体に構成されているが、これらの少なくとも一組のヘッダ集合管を一体化し、その内部空間を２列に区画する構成してもよい。
【０１３９】
室外熱交換器（23）では、２列の扁平管（31,41）の各冷媒流路群（C1,C2）の隣り合う過熱領域（S1,S2）を互いに重ならないようにしているが、例えば３列以上の冷媒流路群（C1,C2）において、隣り合う過熱領域を重ならないようにしてもよい。
【０１４０】
室外熱交換器（23）において、補助熱交換領域（37,47）を省略した構成としてもよい。
【０１４１】
本開示の熱交換器は、室外熱交換器（23）である。しかしながら、本開示の熱交換器を室内熱交換器（25）に適用してもよい。この場合、室内熱交換器（25）は、例えば天井埋め込み式、あるいは天井吊り下げ式の室内ユニットに搭載される４面式の熱交換器であることが好ましい。また、室外熱交換器（23）及び室内熱交換器（25）は、必ずしも４面式でなくてもよく、３面以下のものであってもよい。
【０１４２】
本開示の熱交換器は、例えば図７に示すように、風上列部（30）と風下列部（40）とに対応するように、風上側と風下側とにそれぞれ別体のフィン（32,42）が設けられる。しかしながら、例えば図２１に示すように、扁平管（31,41）を空気の通過方向に２列に配置する一方、風上側と風下側のフィン（32,42）を風上列部（30）と風下列部（40）とに跨がるように一体化してもよい。
【０１４３】
本開示の熱交換器のフィン（32,42）は、風上側の縁部に管挿入部（32b,42b）を形成し、この管挿入部（32b,42b）に扁平管（31,41）を挿入している。しかしながら、熱交換器は、フィン（32,42）の風下側の縁部に管挿入部を形成し、この管挿入部に扁平管（31,41）を挿入する構成としてもよい。また、本開示のフィン（32,42）では、伝熱促進部としてルーバ（32c,42c）を形成しているが、フィン（32,42）を厚さ方向に膨出させた膨出部（凸部）やスリット等を伝熱促進部としてもよい。
【０１４４】
上記実施形態の２列の列部（30,40）は、互いに異なる構成であってもよい。つまり、例えば２列の扁平管（31,41）において、各扁平管（31,41）の幅、各扁平管（31,41）厚さ方向（上下方向）の間隔、各扁平管（31,41）の冷媒流路（C）の流路面積、各扁平管（31,41）の冷媒流路（C）の数等を互いに異ならす構成としてもよい。また、２列のフィン（32,42）において、フィン（32,42）の幅（空気の通過方向の長さ）、フィン（32,42）の厚さ方向のピッチ（間隔）、フィン（32.42）の形状等を互いに異なる構成としてもよい。
【０１４５】
本開示の空気調和機において、複数の列部（30,40）に対応して１つずつ冷媒調整弁を設けてもよい。つまり、これらの冷媒調整弁の開度をそれぞれ個別に調節することで、各列部（30,40）に並列に流入する冷媒量を個別に調整することができる。
【産業上の利用可能性】
【０１４６】
以上説明したように、本発明は、熱交換器について有用である。
【符号の説明】
【０１４７】
10    空気調和機
23    室外熱交換器（熱交換器）
28    液分岐管
29    ガス分岐管
30    風上列部（列部）
31    扁平管
32    フィン
33a   第１屈曲部（屈曲部）
33b   第２屈曲部（屈曲部）
33c   第３屈曲部（屈曲部）
40    風下列部（列部）
41    扁平管
42    フィン
68    風上連絡管
88    風下連絡管
C     冷媒流路
S1    過熱領域
S2    過熱領域
【手続補正２】
【補正対象書類名】特許請求の範囲
【補正対象項目名】全文
【補正方法】変更
【補正の内容】
【特許請求の範囲】
【請求項１】
互いに平行に配置され、それぞれに複数の冷媒流路（C）が形成される複数の扁平管（31,41）と、上記扁平管（31,41）に接合されるフィン（32,42）とを備え、上記冷媒流路（C）を流れる冷媒と空気とを熱交換させる熱交換器であって、
複数の上記扁平管（31,41）を有する複数の列部（30,40）が空気の通過方向に配列され、
上記複数の列部（30,40）は、該複数の列部（30,40）において冷媒が互い並列に流れるように構成され、
上記複数の列部（30,40）の扁平管（31,41）は、空気の通過方向に隣り合う該列部（30,40）の扁平管（31,41）が互いに沿うように該扁平管（31,41）の幅方向に屈曲する１つ以上の屈曲部（33a,33b,33c）をそれぞれ有し、
上記フィン（32,42）には、上記熱交換器の外側に対応する外縁に上記扁平管（31,41）が挿入される複数の管挿入部（32b,42b）が形成され、
上記フィン（32,42）の上記熱交換器の内側に対応する内縁は、上記複数の扁平管（31,41）の配列方向に連続し、
第１側面部（23a）及び第２側面部（23b）を有することを特徴とする熱交換器。
【請求項２】
請求項１において、
第１側面部（23a）の幅が、第２側面部（23b）の幅より短いことを特徴とする熱交換器。
【請求項３】
請求項１又は２において、
前記第１側面部（23a）の一端には、第１ヘッダ集合管（50）が設けられていることを特徴とする熱交換器。
【請求項４】
請求項１〜３のいずれか１つにおいて、
前記第１側面部（23a）、前記第２側面部（23b）、第３側面部（23c）、及び第４側面部（23d）を有する４面式であることを特徴とする熱交換器。
【請求項５】
請求項４において、
前記第１側面部（23a）及び前記第４側面部（23d）の各幅が、前記第２側面部（23b）及び第３側面部（23c）の各幅よりも短いことを特徴とする熱交換器。
【請求項６】
請求項４又は５において、
前記第１側面部（23a）の一端には第１ヘッダ集合管（50）が設けられ、前記第４側面部（23d）の一端には第２ヘッダ集合管（60）が設けられることを特徴とする熱交換器。
【手続補正３】
【補正対象書類名】図面
【補正対象項目名】図２０
【補正方法】変更
【補正の内容】
【図２０】
2020020574.tif 000024